(57)【特許請求の範囲】
【請求項１】
第1のワイヤレス通信システムの第1のワイヤレスアクセスデバイスから第2のワイヤレス通信システムの第2のワイヤレスアクセスデバイスへの、ユーザ機器のハンドオーバを実行するための方法であって、
前記第1のワイヤレス通信システムのユーザプレーンコアネットワークデバイスにより、プロトコルデータユニット(PDU)セッション毎のトンネルにおいて前記ユーザ機器のデータおよび前記データが属するサービス品質(QoS)フローの識別子を含むパケットを前記第1のワイヤレス通信システムの前記第1のワイヤレスアクセスデバイスから受信するステップであって、前記PDUセッション毎の前記トンネルが、前記ユーザプレーンコアネットワークデバイスと前記第1のワイヤレスアクセスデバイスとの間のトンネルである、ステップと、
前記ユーザプレーンコアネットワークデバイスにより、前記PDUセッション毎の前記トンネルにおける前記データを前記第2のワイヤレス通信システムのベアラのためのトンネルにマッピングするステップと、
前記ユーザプレーンコアネットワークデバイスにより、前記データが属する前記QoSフローの前記識別子を取り除くステップと、
前記ユーザプレーンコアネットワークデバイスにより、前記ベアラのための前記トンネルにマッピングされた前記データを前記第2のワイヤレス通信システムに送信するステップと
を含む方法。
【請求項２】
前記第2のワイヤレス通信システムの前記ベアラが、進化型パケットシステム(EPS)ベアラである、請求項1に記載の方法。
【請求項３】
前記ユーザプレーンコアネットワークデバイスにより、前記PDUセッション毎の前記トンネルにおける前記データを前記第2のワイヤレス通信システムのベアラのためのトンネルにマッピングする前記ステップが、
前記ユーザプレーンコアネットワークデバイスにより、前記ベアラと前記データが属する前記QoSフローとの間のマッピング関係に従って、前記PDUセッション毎の前記トンネルにおける前記データを前記ベアラのための前記トンネルにマッピングするステップ
を含む、請求項1または2に記載の方法。
【請求項４】
前記第1のワイヤレス通信システムが、第5世代(5G)通信システムであり、前記第2のワイヤレス通信システムが、ロングタームエボリューション(LTE)通信システムである、請求項1から3のいずれか一項に記載の方法。
【請求項５】
第2のワイヤレス通信システムの第2のワイヤレスアクセスデバイスから第1のワイヤレス通信システムの第1のワイヤレスアクセスデバイスへの、ユーザ機器のハンドオーバを実行するための方法であって、
前記第1のワイヤレス通信システムのユーザプレーンコアネットワークデバイスにより、前記第2のワイヤレス通信システムのベアラのためのトンネルにおける前記ユーザ機器のデータを前記第2のワイヤレス通信システムから受信するステップと、
前記ユーザプレーンコアネットワークデバイスにより、前記ベアラのための前記トンネルにおける前記データをプロトコルデータユニット(PDU)セッション毎のトンネルにマッピングするステップであって、前記PDUセッション毎の前記トンネルが、前記第1のワイヤレス通信システムの前記ユーザプレーンコアネットワークデバイスと前記第1のワイヤレス通信システムの前記第1のワイヤレスアクセスデバイスとの間のトンネルである、ステップと、
前記ユーザプレーンコアネットワークデバイスにより、前記PDUセッション毎の前記トンネルにマッピングされた前記データを前記第1のワイヤレス通信システムの前記第1のワイヤレスアクセスデバイスに送信するステップと
を含む方法。
【請求項６】
前記第2のワイヤレス通信システムの前記ベアラが、進化型パケットシステム(EPS)ベアラである、請求項5に記載の方法。
【請求項７】
前記ユーザプレーンコアネットワークデバイスにより、前記ベアラのための前記トンネルにおける前記データをプロトコルデータユニット(PDU)セッション毎のトンネルにマッピングする前記ステップが、
前記ユーザプレーンコアネットワークデバイスにより、前記ベアラと前記データが属するサービス品質(QoS)フローとの間のマッピング関係に従って、前記ベアラのための前記トンネルにおける前記データを前記PDUセッション毎の前記トンネルにマッピングするステップ
を含む、請求項5または6に記載の方法。
【請求項８】
前記ユーザプレーンコアネットワークデバイスにより、前記ベアラに関するデータ転送が完了するときに、前記ベアラに関する前記データ転送の終了を示す指示を前記第2のワイヤレス通信システムの前記第2のワイヤレスアクセスデバイスから受信するステップ
をさらに含む、請求項5から7のいずれか一項に記載の方法。
【請求項９】
前記第1のワイヤレス通信システムが、第5世代(5G)通信システムであり、前記第2のワイヤレス通信システムが、ロングタームエボリューション(LTE)通信システムである、請求項5から8のいずれか一項に記載の方法。
【請求項１０】
請求項1から4のいずれか一項に記載の方法を実行するように構成される装置。
【請求項１１】
請求項5から9のいずれか一項に記載の方法を実行するように構成される装置。
【請求項１２】
プロセッサと、命令を記憶するメモリとを含み、前記命令が前記プロセッサによって呼び出されるときに請求項1から4のいずれか一項に記載の方法が実行される、装置。
【請求項１３】
プロセッサと、命令を記憶するメモリとを含み、前記命令が前記プロセッサによって呼び出されるときに請求項5から9のいずれか一項に記載の方法が実行される、装置。
【請求項１４】
請求項1から4のいずれか一項に記載の方法をコンピュータに実行させるプログラムを記録したコンピュータ読み取り可能な記録媒体。
【請求項１５】
請求項5から9のいずれか一項に記載の方法をコンピュータに実行させるプログラムを記録したコンピュータ読み取り可能な記録媒体。
【請求項１６】
第1のワイヤレス通信システムから第2のワイヤレス通信システムへの、ユーザ機器のハンドオーバを実行するためのシステムであって、
前記第1のワイヤレス通信システムの第1のワイヤレスアクセスデバイスと、前記第1のワイヤレス通信システムのユーザプレーンコアネットワークデバイスとを含み、
前記第1のワイヤレスアクセスデバイスが、プロトコルデータユニット(PDU)セッション毎のトンネルにおいて前記ユーザ機器のデータおよび前記データが属するサービス品質(QoS)フローの識別子を含むパケットを前記ユーザプレーンコアネットワークデバイスに送信するように構成され、前記PDUセッション毎の前記トンネルが、前記ユーザプレーンコアネットワークデバイスと前記第1のワイヤレスアクセスデバイスとの間のトンネルであり、
前記ユーザプレーンコアネットワークデバイスが、前記PDUセッション毎の前記トンネルにおける前記データを前記第2のワイヤレス通信システムのベアラのためのトンネルにマッピングし、前記データが属する前記QoSフローの前記識別子を取り除くように構成され、
前記ユーザプレーンコアネットワークデバイスが、前記ベアラのための前記トンネルにマッピングされた前記データを前記第2のワイヤレス通信システムに送信するようにさらに構成される、システム。
【請求項１７】
前記ベアラが、進化型パケットシステム(EPS)ベアラである、請求項16に記載のシステム。
【請求項１８】
前記ユーザプレーンコアネットワークデバイスが、前記ベアラと前記データが属する前記QoSフローとの間のマッピング関係に従って、前記PDUセッション毎の前記トンネルにおける前記データを前記ベアラのための前記トンネルにマッピングするようにさらに構成される、請求項16または17に記載のシステム。
【請求項１９】
前記第2のワイヤレス通信システムの第2のワイヤレスアクセスデバイスをさらに含み、
前記第2のワイヤレス通信システムの前記第2のワイヤレスアクセスデバイスが、
前記ベアラのための前記トンネルにマッピングされた前記データを前記ユーザ機器に送信し、
その後、新しいデータを前記ユーザ機器に送信する
ように構成される、請求項16から18のいずれか一項に記載のシステム。
【請求項２０】
前記第1のワイヤレス通信システムが、第5世代(5G)通信システムであり、前記第2のワイヤレス通信システムが、ロングタームエボリューション(LTE)通信システムである、請求項16から19のいずれか一項に記載のシステム。
【請求項２１】
第2のワイヤレス通信システムから第1のワイヤレス通信システムへの、ユーザ機器のハンドオーバを実行するためのシステムであって、
前記第1のワイヤレス通信システムのユーザプレーンコアネットワークデバイスと、前記第1のワイヤレス通信システムの第1のワイヤレスアクセスデバイスとを含み、
前記ユーザプレーンコアネットワークデバイスが、前記第2のワイヤレス通信システムのベアラのためのトンネルにおける前記ユーザ機器のデータを前記第2のワイヤレス通信システムから受信するように構成され、
前記ユーザプレーンコアネットワークデバイスが、前記ベアラのための前記トンネルにおける前記データをプロトコルデータユニット(PDU)セッション毎のトンネルにマッピングするようにさらに構成され、前記PDUセッション毎の前記トンネルが、前記第1のワイヤレス通信システムの前記ユーザプレーンコアネットワークデバイスと前記第1のワイヤレス通信システムの前記第1のワイヤレスアクセスデバイスとの間のトンネルであり、
前記第1のワイヤレスアクセスデバイスが、前記PDUセッション毎の前記トンネルにマッピングされた前記データを前記ユーザプレーンコアネットワークデバイスから受信するように構成される、システム。
【請求項２２】
前記第2のワイヤレス通信システムの前記ベアラが、進化型パケットシステム(EPS)ベアラである、請求項21に記載のシステム。
【請求項２３】
前記ユーザプレーンコアネットワークデバイスが、前記ベアラと前記データが属するサービス品質(QoS)フローとの間のマッピング関係に従って、前記ベアラのための前記トンネルにおける前記データを前記PDUセッション毎の前記トンネルにマッピングするようにさらに構成される、請求項21または22に記載のシステム。
【請求項２４】
前記第1のワイヤレスアクセスデバイスが、
前記PDUセッション毎の前記トンネルにマッピングされた前記データを前記ユーザ機器に送信し、
その後、新しいデータを前記ユーザ機器に送信する
ようにさらに構成される、請求項21から23のいずれか一項に記載のシステム。
【請求項２５】
前記ユーザプレーンコアネットワークデバイスが、前記ベアラに関するデータ転送が完了するときに、前記ベアラに関する前記データ転送の終了を示す指示を前記第2のワイヤレス通信システムの第2のワイヤレスアクセスデバイスから受信するようにさらに構成される、請求項21から24のいずれか一項に記載のシステム。
【請求項２６】
前記第1のワイヤレス通信システムが、第5世代(5G)通信システムであり、前記第2のワイヤレス通信システムが、ロングタームエボリューション(LTE)通信システムである、請求項21から25のいずれか一項に記載のシステム。
【発明の詳細な説明】
【技術分野】
【０００１】
本出願は、2017年1月7日に中国専利局に出願した特許出願第201710015171.5号および2017年1月6日に中国専利局に出願した特許出願第201710008627.5号の優先権を主張するものであり、両出願の全体が参照により本明細書に組み込まれる。
【０００２】
本発明の実施態様は、ワイヤレス通信の分野に関し、特に、システム間情報交換方法、ワイヤレス通信システム、およびユーザ機器に関する。
【背景技術】
【０００３】
ワイヤレス通信システムにおいて、コアネットワークデバイスからワイヤレスアクセスデバイス(たとえば、ワイヤレスアクセスデバイス)およびユーザ機器(user equipment、UE)へのリンクは、ダウンリンクであり、ユーザ機器からワイヤレスアクセスデバイスおよびコアネットワークデバイスへのリンクは、アップリンクである。
【０００４】
現在のワイヤレス通信システム、たとえば、ロングタームエボリューション(long term evolution、LTE)システムでは、アップリンクおよびダウンリンクにおいて、コアネットワークデバイス、ワイヤレスアクセスデバイス、およびユーザ機器が、ユーザ機器のサービスデータフローを送信し、サービスデータフローのサービス品質(quality of service、QoS)を保証するために、非アクセス層(non-access stratum、NAS)上で非アクセス層サービスベアラを確立し、アクセス層(access stratum、AS)上でアクセス層サービスベアラを確立する。
【０００５】
ユーザ機器が異なる通信テクノロジーのワイヤレス通信システム間を移動するとき、サービスデータフローは、ユーザ機器が移動する先のワイヤレス通信システムにおいて送信される必要がある。たとえば、ユーザ機器のサービスデータフローが、第5世代ワイヤレス通信システムから別の通信テクノロジー(たとえば、LTE)のワイヤレス通信システムにハンドオーバされるか、またはユーザ機器が、別の通信テクノロジーのワイヤレス通信システムから第5世代ワイヤレス通信システムにハンドオーバされる。ユーザ機器のサービスデータフローが異なる通信テクノロジーのワイヤレス通信システムにおいて送信されるとき、非アクセス層サービスベアラを確立する方法は、異なる。結果として、ユーザ機器のサービスデータフローの連続性が、サービス転送プロセスにおいて保証され得ず、それによって、ユーザ機器の体験を損なう。
【発明の概要】
【課題を解決するための手段】
【０００６】
本発明の実施態様は、ユーザ機器が異なる通信テクノロジーのワイヤレス通信システムの間を移動することが原因でユーザ機器のサービスデータフローが連続的でなく、ユーザエクスペリエンスが損なわれるという問題を防止するために、システム間情報交換方法、ワイヤレス通信システム、およびユーザ機器を提供する。
【０００７】
本発明の実施態様の第1の態様は、システム間情報交換方法を提供し、方法は、
第1のワイヤレス通信システムにより、第2のワイヤレス通信システムにユーザ機器のサービスデータフローを転送すると決定するステップであって、第1のワイヤレス通信システムおよび第2のワイヤレス通信システムが、異なる通信テクノロジーを使用する、ステップと、
第1のワイヤレス通信システムにより、第2のワイヤレス通信システムに第1の情報を送信するステップであって、第1の情報が、第2のワイヤレス通信システムの非アクセス層上にあり、かつ第1のワイヤレス通信システムの非アクセス層上のユーザ機器のサービスデータフローの1つのサービスベアラグループに対応する、1つのサービスベアラを示し、1つのサービスベアラグループが、第1のワイヤレス通信システムの非アクセス層上の少なくとも2つのサービスベアラを含む、ステップとを含む。
【０００８】
第1の態様において提供される技術的なソリューションによれば、第2のワイヤレス通信システムがサービスベアラをランダムに割り当てることが原因でサービスデータフローが連続的でないという問題を防止し、それによって、ユーザ機器の体験を向上させるために、ユーザ機器にサービスを提供する第1のワイヤレス通信システムは、ユーザ機器のサービスデータフローを、第1のワイヤレス通信システムの非アクセス層上のサービスベアラから第2のワイヤレス通信システムの非アクセス層上の対応するサービスベアラに転送し、第2のワイヤレス通信システムの非アクセス層上のサービスベアラについての情報を第2のワイヤレス通信システムに送信する。
【０００９】
第1の態様に基づいて、第1の態様の第1の可能な実装においては、
第1のワイヤレス通信システムのコアネットワークデバイスが、第1のワイヤレス通信システムのワイヤレスアクセスデバイスによって送信された第2の情報を受信し、第2の情報は、第1のワイヤレス通信システムの非アクセス層上のサービスデータフローの少なくとも1つのサービスベアラグループを特定し、少なくとも1つのサービスベアラグループの各々は、第1のワイヤレス通信システムのアクセス層上の1つのサービスベアラに対応し、少なくとも1つのサービスベアラグループは、1つのサービスベアラグループを含む。
【００１０】
この可能な実装においては、第1のワイヤレス通信システムのワイヤレスアクセスデバイスが、第1の情報を決定するために、サービスデータフローの少なくとも1つのサービスベアラグループを第1のワイヤレス通信システムのコアネットワークデバイスに通知する。
【００１１】
第1の態様の第1の可能な実装に基づいて、第1の態様の第2の可能な実装においては、第1のワイヤレス通信システムのコアネットワークデバイスが、第2の情報に基づいて、第2のワイヤレス通信システムの非アクセス層上にあり、かつ第1のワイヤレス通信システムの非アクセス層上のサービスデータフローのサービスベアラグループに対応する、サービスベアラを決定する。
【００１２】
この可能な実装においては、コアネットワークデバイスが、第2の情報に基づいて、第1のワイヤレス通信システムの非アクセス層上のサービスベアラグループと第2のワイヤレス通信システムの非アクセス層上のサービスベアラとの間の対応を決定する。
【００１３】
第1の態様の第2の可能な実装に基づいて、第1の態様の第3の可能な実装においては、第1のワイヤレス通信システムのコアネットワークデバイスにより、第2のワイヤレス通信システムの非アクセス層上にあり、かつ第1のワイヤレス通信システムの非アクセス層上のサービスデータフローの1つのサービスベアラグループに対応する、1つのサービスベアラを、第2の情報に基づいて決定することが、
第1のワイヤレス通信システムのコアネットワークデバイスにより、第2のワイヤレス通信システムの非アクセス層上の対応する1つのサービスベアラを生成するために、第1のワイヤレス通信システムの非アクセス層上の1つのサービスベアラグループの中のすべてのサービスベアラを、第2の情報、トラフィックフローテンプレート(traffic flow template)、およびトラフィックフローテンプレートの優先度に基づいて組み合わせることを含む。
【００１４】
この可能な実装においては、第1の情報が、トラフィックフローテンプレートおよびトラフィックフローテンプレートの優先度に基づいてさらに決定される可能性がある。
【００１５】
第1の態様から第1の態様の第3の可能な実装までのいずれか1つに基づいて、第1の態様の第4の可能な実装においては、方法が、
第1のワイヤレス通信システムのコアネットワークデバイスにより、第2のワイヤレス通信システムによって送信された承認通知を受信するステップであって、承認通知が、第2のワイヤレス通信システムの非アクセス層上にあり、かつサービスデータフローに対応する、1つのサービスベアラが認められることを示す、ステップと、
第1のワイヤレス通信システムのコアネットワークデバイスにより、第2のワイヤレス通信システムの非アクセス層上にあり、かつサービスデータフローに対応する、1つのサービスベアラを、第1のワイヤレス通信システムのワイヤレスアクセスデバイスに通知するステップとをさらに含む。
【００１６】
この可能な実装においては、第2のワイヤレス通信システムが第1のワイヤレス通信システムによって決定されるサービスベアラの間の対応を認めた後、第1のワイヤレス通信システムのワイヤレスアクセスデバイスが、対応を通知される。
【００１７】
第1の態様から第1の態様の第4の可能な実装までに基づいて、第1の態様の第5の可能な実装においては、方法が、
第1のワイヤレス通信システムのコアネットワークデバイスにより、第2のワイヤレス通信システムの非アクセス層上にあり、かつサービスデータフローに対応する、1つのサービスベアラを、ユーザ機器に通知するステップと、
第1のワイヤレス通信システムのコアネットワークデバイスにより、第2のワイヤレス通信システムのアクセス層上にあり、かつサービスデータフローのものである、1つのサービスベアラを、ユーザ機器に通知するステップとをさらに含む。
【００１８】
この可能な実装においては、ユーザ機器が第2のワイヤレス通信システムにサービスを転送するように、ユーザ機器が、非アクセス層上のサービスベアラの間の対応およびアクセス層上のサービスベアラの間の対応を通知される。
【００１９】
本発明の実施態様の第2の態様は、システム間情報交換方法を提供し、方法は、
第2のワイヤレス通信システムにより、ユーザ機器のサービスデータフローが第1のワイヤレス通信システムから第2のワイヤレス通信システムに転送されるべきであると判定するステップであって、第1のワイヤレス通信システムおよび第2のワイヤレス通信システムが、異なる通信テクノロジーを使用する、ステップと、
第2のワイヤレス通信システムにより、第2のワイヤレス通信システムの非アクセス層上にあり、かつ第1のワイヤレス通信システムの非アクセス層上のサービスデータフローの1つのサービスベアラグループに対応する、1つのサービスベアラを決定するステップであって、1つのサービスベアラグループが、第1のワイヤレス通信システムの非アクセス層上の少なくとも2つのサービスベアラを含む、ステップと、
第2のワイヤレス通信システムにより、1つのサービスベアラを第1のワイヤレス通信システムに通知するステップとを含む。
【００２０】
第2の態様において提供される技術的なソリューションによれば、第2のワイヤレス通信システムは、第1のワイヤレス通信システムの非アクセス層上のサービスベアラと第2のワイヤレス通信システムのサービスベアラとの間の対応を決定し、第2のワイヤレス通信システム内にあり、かつユーザ機器のサービスデータフローに対応する、サービスベアラについての情報を、第1のワイヤレス通信システムに通知する。したがって、ユーザ機器のサービスデータフローが第2のワイヤレス通信システムにおいて送信されるとき、ユーザ機器のサービスの連続性が保証されることが可能であり、その結果、ユーザ機器のユーザエクスペリエンスが改善される。
【００２１】
第2の態様に基づいて、第2の態様の第1の可能な実装においては、方法が、
第2のワイヤレス通信システムのコアネットワークデバイスにより、第1のワイヤレス通信システムから第3の情報を受信するステップであって、第3の情報が、第1のワイヤレス通信システムの非アクセス層上のサービスデータフローの少なくとも1つのサービスベアラグループ、ならびにトラフィックフローテンプレートおよびトラフィックフローテンプレートの優先度のうちの少なくとも一方を示し、少なくとも1つのサービスベアラグループの各々が、第1のワイヤレス通信システムのアクセス層上の1つのサービスベアラに対応し、少なくとも1つのサービスベアラグループが、1つのサービスベアラグループを含む、ステップと、
第2のワイヤレス通信システムのコアネットワークデバイスにより、第2のワイヤレス通信システムの非アクセス層上にあり、かつ第1のワイヤレス通信システムの非アクセス層上のサービスデータフローの1つのサービスベアラグループに対応する、1つのサービスベアラを、第3の情報に従って決定するステップとをさらに含む。
【００２２】
任意で、第2のワイヤレス通信システムのコアネットワークデバイスは、第2のワイヤレス通信システムの非アクセス層上にあり、かつサービスデータフローに対応する、1つのサービスベアラを、第1のワイヤレス通信システムのワイヤレスアクセスデバイスに通知する。
【００２３】
この可能な実装においては、第2のワイヤレス通信システムが、第3の情報に従って、非アクセス層上のサービスベアラの間の対応を決定し、第1のワイヤレス通信システムのワイヤレスアクセスデバイスに対応を通知する。
【００２４】
第2の態様に基づいて、第2の態様の第1の可能な実装においては、方法が、
第2のワイヤレス通信システムのコアネットワークデバイスにより、第2のワイヤレス通信システムの非アクセス層上にあり、かつサービスデータフローに対応する、1つのサービスベアラを、ユーザ機器に通知するステップと、
第2のワイヤレス通信システムのコアネットワークデバイスにより、第2のワイヤレス通信システムのアクセス層上にあり、かつサービスデータフローのものである、1つのサービスベアラを、ユーザ機器に通知するステップとをさらに含む。
【００２５】
この可能な実装においては、ユーザ機器がサービスの転送を実行するように、ユーザ機器が、非アクセス層上のサービスベアラの間の対応およびアクセス層上のサービスベアラの間の対応を通知される。
【００２６】
本発明の実施態様の第3の態様は、サービス処理方法を提供し、方法は、
第1のワイヤレス通信システムにより、ユーザ機器のサービスデータフローが第2のワイヤレス通信システムから第1のワイヤレス通信システムに転送されるべきであると判定するステップであって、第1のワイヤレス通信システムおよび第2のワイヤレス通信システムが、異なる通信テクノロジーを使用する、ステップと、
第1のワイヤレス通信システムにより、第2のワイヤレス通信システムから第4の情報を受信するステップであって、第4の情報が、第2のワイヤレス通信システムの非アクセス層上にあり、かつサービスデータフローのものである、1つのサービスベアラを示す、ステップと、
第1のワイヤレス通信システムにより、第1のワイヤレス通信システムの非アクセス層上にあり、かつ1つのサービスベアラに対応する、1つのサービスベアラグループを、第4の情報に従って決定するステップであって、1つのサービスベアラグループが、第1のワイヤレス通信システムの非アクセス層上の少なくとも2つのサービスベアラを含む、ステップとを含む。
【００２７】
第3の態様において提供される技術的なソリューションによれば、第2のワイヤレス通信システムが、非アクセス層上のサービスベアラの間の対応を生成するために、サービスベアラの間の対応によって必要とされる関連する情報を第1のワイヤレス通信システムに送信し、それによって、サービスが転送される先の第1のワイヤレス通信システムにおいてランダムなサービスベアラの割り当てによって引き起こされるサービスの不連続を防止する。したがって、ユーザ機器のユーザエクスペリエンスが改善される。
【００２８】
第3の態様に基づいて、第3の態様の第1の可能な実装においては、第1のワイヤレス通信システムにより、第1のワイヤレス通信システムの非アクセス層上にあり、かつ1つのサービスベアラに対応する、複数のサービスベアラを、第4の情報に従って決定するステップが、
第1のワイヤレス通信システムのコアネットワークデバイスにより、第1のワイヤレス通信システムの非アクセス層上にあり、かつ1つのサービスベアラに対応する、1つのサービスベアラグループを決定するために、1つのサービスベアラを、第4の情報、トラフィックフローテンプレート、およびトラフィックフローテンプレートの優先度に従って分割することを含む。
【００２９】
この可能な実装においては、第1のワイヤレス通信システムが、第4の情報に従って、非アクセス層上のサービスベアラの間の対応を決定する。
【００３０】
第3の態様または第3の態様の第1の可能な実装に基づいて、第3の態様の第2の可能な実装においては、方法が、
第1のワイヤレス通信システムのコアネットワークデバイスにより、第1のワイヤレス通信システムの非アクセス層上にあり、かつサービスデータフローに対応する、サービスベアラグループを、第2のワイヤレス通信システムのワイヤレスアクセスデバイスに通知するステップをさらに含む。
【００３１】
この実装においては、第2のワイヤレス通信システムのワイヤレスアクセスデバイスがユーザ機器のサービスデータフローを第1のワイヤレス通信システムに転送するように、第1のワイヤレス通信システムのコアネットワークデバイスが、非アクセス層上のサービスベアラの間の対応を第2のワイヤレス通信システムのワイヤレスアクセスデバイスに通知する。
【００３２】
第3の態様から第3の態様の第2の可能な実装までのいずれか1つに基づいて、第3の態様の第3の可能な実装においては、方法が、
第1のワイヤレス通信システムのコアネットワークデバイスにより、第2のワイヤレス通信システムを使用することによって、第1のワイヤレス通信システムの非アクセス層上にあり、かつサービスデータフローに対応する、サービスベアラグループを、ユーザ機器に通知するステップをさらに含む。
【００３３】
この可能な実装においては、ユーザ機器がサービスの転送を実行するように、第1のワイヤレス通信システムのコアネットワークデバイスが、非アクセス層上のサービスベアラの間の対応をユーザ機器に通知する。
【００３４】
第3の態様から第3の態様の第3の可能な実装までのいずれか1つに基づいて、第3の態様の第4の可能な実装においては、方法が、
第1のワイヤレス通信システムのワイヤレスアクセスデバイスにより、1つのサービスベアラグループを第1のワイヤレス通信システムのアクセス層上の1つのサービスベアラに対応させるステップをさらに含む。
【００３５】
この実装においては、第1のワイヤレス通信システムのワイヤレスアクセスデバイスが、非アクセス層からアクセス層へのベアラのマッピングを実行する。
【００３６】
第3の態様から第3の態様の第4の可能な実装までのいずれか1つに基づいて、第3の態様の第5の可能な実装においては、方法が、
第1のワイヤレス通信システムのワイヤレスアクセスデバイスにより、第2のワイヤレス通信システムを使用することによって、第1のワイヤレス通信システムのアクセス層上のサービスデータフローの1つのサービスベアラと第1のワイヤレス通信システムの非アクセス層上のサービスベアラグループとの間の対応をユーザ機器に通知するステップをさらに含む。
【００３７】
この実装においては、ユーザ機器がサービスデータフローをアクセス層上の対応するサービスベアラおよび非アクセス層上の対応するサービスベアラに正確に転送することができるように、ユーザ機器が、非アクセス層からアクセス層へのベアラのマッピング関係を通知される。
【００３８】
本発明の実施態様の第4の態様は、様々な態様および様々な態様の可能な実装を実行するための第1のワイヤレス通信システム、第2のワイヤレス通信システム、およびユーザ機器を提供する。第1のワイヤレス通信システムは、少なくとも、第1のワイヤレス通信システムの方法のアクションを実行するように構成された第1のデバイスおよび第2のデバイスを含む。第2のワイヤレス通信システムは、様々な態様および様々な態様の可能な実装に従って第2のワイヤレス通信システムの方法のアクションを実行するように構成された第1のデバイスおよび第2のデバイスを含む。ユーザ機器は、受信ユニットおよび処理ユニットを含み、受信ユニットは、上述の方法におけるユーザ機器の受信アクションを実行するように構成され、処理ユニットは、上述の方法の転送アクション、決定アクションなどの処理アクションを実行するように構成される。
【００３９】
本発明の実施態様の第5の態様は、通信処理方法を提供し、方法は、
第1のワイヤレス通信システムのユーザプレーンコアネットワークデバイスにより、プロトコル/パケットデータユニットセッション(PDUセッション)の粒度(granularity)に基づいて第1のワイヤレス通信システムのワイヤレスアクセスデバイスへのトンネルを確立するステップと、第1のワイヤレス通信システムのユーザプレーンコアネットワークデバイスにより、サービスベアラの粒度に基づいて第2の通信システムへのトンネルを確立するステップと、第1のワイヤレス通信システムのユーザプレーンコアネットワークデバイスにより、データを、PDUセッションの粒度に基づいて確立されたトンネルからサービスベアラの粒度に基づいて確立されたトンネルにマッピングするステップとを含む。
【００４０】
第5の態様に対応して、本発明の実施態様は、通信処理装置をさらに提供し、装置は、プロセッサおよびメモリを含み、メモリが命令コードを記憶し、命令コードがプロセッサによって呼び出されるときに第5の態様において提供される方法が実施される。
【００４１】
第5の態様に対応して、本発明の実施態様は、通信システムをさらに提供し、システムは、ユーザプレーンコアネットワークデバイスおよびワイヤレスアクセスデバイスを含み、ユーザプレーンコアネットワークデバイスがプロトコルデータユニットセッション(PDUセッション)の粒度に基づいてワイヤレスアクセスデバイスへのトンネルを確立し、サービスベアラの粒度に基づいて別の通信システムへのトンネルを確立するように構成される。ワイヤレスアクセスデバイスは、PDUセッションの粒度に基づいて確立されたトンネルを介してユーザプレーンコアネットワークデバイスにデータを送信するように構成される。ユーザプレーンコアネットワークデバイスは、データを、サービスベアラの粒度に基づいて確立されたトンネルにマッピングするようにさらに構成される。
【００４２】
本発明の実施態様の第6の態様は、命令コードを記憶し、命令コードが上述の態様または可能な実装のうちのいずれか1つによる方法を実施するために使用されるコンピュータストレージ媒体を提供する。
【００４３】
本発明の実施態様の第7の態様は、メモリおよびプロセッサを含み、メモリが命令コードを記憶し、命令コードがプロセッサによって呼び出されるときに上述の態様または可能な実装のうちのいずれか1つによる方法が実施されるチップシステムを提供する。
【図面の簡単な説明】
【００４４】
【図１−Ａ】本発明の実施形態によるワイヤレス通信システムのシステムアーキテクチャの概略図である。
【図１−Ｂ】本発明の実施形態によるワイヤレス通信システムのプロトコルアーキテクチャの図である。
【図２−Ａ】本発明の実施形態によるシステム間情報交換手順の概略図である。
【図２−Ｂ】本発明の実施形態によるシステム間情報交換手順の概略図である。
【図２−Ｃ】本発明の実施形態によるシステム間情報交換手順の概略図である。
【図３】本発明の実施形態によるシステム間情報交換の概略図である。
【図４】本発明の実施形態によるシステム間情報交換の概略図である。
【図５】本発明の実施形態によるシステム間情報交換の概略図である。
【図６】本発明の実施形態によるシステム間情報交換の概略図である。
【図７】本発明の実施形態によるシステム間情報交換の概略図である。
【図８】本発明の実施形態によるシステム間情報交換の概略図である。
【図９】本発明の実施形態によるシステム間情報交換の概略図である。
【図１０】本発明の実施形態によるシステム間情報交換の概略図である。
【図１１】本発明の実施形態による第1のワイヤレス通信システムのアーキテクチャの概略図である。
【図１２】本発明の実施形態による第2のワイヤレス通信システムのアーキテクチャの概略図である。
【図１３】本発明の実施形態によるワイヤレスアクセスデバイスの概略的な構造図である。
【図１４】本発明の実施形態によるコアネットワークデバイスの概略的な構造図である。
【図１５】は、本発明の実施形態によるユーザ機器の概略的な構造図である。
【発明を実施するための形態】
【００４５】
図1-Aは、本発明の実施形態によるワイヤレス通信システムのシステムアーキテクチャの概略図である。図1に示されるように、ワイヤレス通信システムは、コアネットワーク、アクセスネットワーク、およびユーザ機器(端末とも呼ばれる)を含む。コアネットワークは、ユーザプレーンコアネットワークデバイスおよび制御プレーンコアネットワークデバイスを含む。アクセスネットワークは、主に、ワイヤレスアクセスデバイス、たとえば、基地局またはワイヤレス・ローカル・エリア・ネットワーク・アクセス・ポイントなどの様々な送受信ポイント(transmission reception point、TRP)を含み、ユーザ機器に免許が必要なスペクトル内のアクセスサービスまたは免許不要のスペクトル内のアクセスサービスを提供する。ユーザ機器は、マルチメディアオーディオおよびビデオおよびムービーのダウンロードなどの様々なサービスを得るために、アクセスネットワークおよびコアネットワークを使用することによってワイヤレス通信システムにアクセスし、それから、コアネットワークおよびコアネットワークに接続された公衆データネットワーク(public data network、PDN)サーバを使用することによってインターネットにアクセスする。
【００４６】
図1-Aに示されるワイヤレス通信システムにおいては、異なる通信テクノロジーのワイヤレス通信システムが、コアネットワークを使用することによって互いに接続される。ユーザ機器およびユーザ機器にサービスを提供するワイヤレスアクセスデバイスは、第3世代パートナーシッププロジェクト(the 3rd generation partnership project、3GPP)において規定されたプロトコルレイヤに従ってアップリンクおよびダウンリンク上で制御シグナリングまたはサービスデータなどの様々な種類のデータを送信する。ほとんどの制御シグナリングは、主に、各プロトコルレイヤの制御チャネル上で送信され、ほとんどのサービスデータは、主に、各プロトコルレイヤのトラフィックチャネル上で送信される。いずれのレイヤにおいて送信されるデータも、最終的には物理レイヤ上で運ばれ、少なくとも1つの物理アンテナを使用することによってワイヤレス空間内で送信される。
【００４７】
アクセスネットワークは、プロトコルレイヤの一部を使用することによってユーザ機器がワイヤレス通信システムにアクセスすることを可能にし、一部のプロトコルレイヤは、集合的にアクセス(access、AS)層と呼ばれる。単純に、アクセス層は、ユーザ機器がワイヤレス通信システムにおいてユーザ機器とアクセスネットワークとの間のエアインターフェースに接続することを可能にするために使用されるプロトコルレイヤである。しかし、一部の種類のシグナリングデータまたはサービスデータに関して、アクセスネットワークは、これらのシグナリングデータまたはサービスデータがアクセスネットワークに送信されるときにいかなる処理も実行せず、アクセスネットワークは、これらのシグナリングデータまたはサービスデータを転送するだけである。これらのデータは、ユーザ機器がワイヤレス通信システムにアクセスすることをアクセスネットワークが可能にする処理に関連しないので、これらのデータを運ぶプロトコルレイヤは、非アクセス(non-access、NAS)層である。
【００４８】
LTEワイヤレス通信システムのプロトコルレイヤは、物理(PHY)レイヤ、媒体アクセス制御(media access control、MAC)レイヤ、無線リンク制御(Radio Link Control、RLC)レイヤ、パケットデータコンバージェンスプロトコル(Packet Data Convergence Protocol、PDCP)レイヤ、無線リソース制御(radio resource control、RRC)レイヤなどを含む。これらのプロトコルレイヤは、ユーザ機器上の進化型ワイヤレスアクセスデバイスによって実行されるアクセス処理に関し、したがって、これらのプロトコルレイヤは、アクセス層である。
【００４９】
サービスデータフローが送信されているとき、サービスベアラが、ユーザ機器のサービスデータフローを送信するためにワイヤレス通信システム内で構成される可能性がある。1つのサービスベアラは、アクセスネットワークとユーザ機器との間の経路上の送信リソース、およびアクセスネットワークとコアネットワークとの間の経路上の送信リソースを含む。アクセス層において、サービスデータフローは、アクセス層サービスベアラ上で運ばれ、非アクセス層において、サービスデータフローは、非アクセス層サービスベアラ上で運ばれる。非アクセス層サービスベアラは、ワイヤレス通信システム内のワイヤレスアクセスデバイスにとって透過的である可能性があり、つまり、ワイヤレスアクセスデバイスは、サービスデータフローの送信が存在することは知っているが、サービスデータフローの送信の内容を知らない。サービスデータフローは、通信ネットワークによって提供される様々なアプリケーションサービスのデータフロー、たとえば、ビデオサービスのデータフローを指す。1つのサービスベアラは、アクセスネットワークとユーザ機器との間の経路およびアクセスネットワークとコアネットワークとの間の経路上のデータに関するサービス品質(QoS)を別々に提供する。ワイヤレス通信システムは、ユーザ機器とアクセスネットワークとの間の経路上、特に、経路上の各プロトコルレイヤ(たとえば、PDCPレイヤ、RLCレイヤ、MACレイヤ、および物理レイヤ)においてデータのための送信リソースを構成し、これらの送信リソースの合計が、無線ベアラ(radio bearer、RB)と呼ばれる。ユーザ機器とアクセスネットワークとの間の経路は、ユーザ機器とアクセスネットワークとの間の経路上で送信されるサービスデータに関するサービス品質を提供する無線ベアラと呼ばれる。アクセスネットワークとコアネットワークとの間の経路は、専用のトンネルによってベアラを確立することによって、アクセスネットワークとコアネットワークとの間で送信されるサービスデータに関するサービス品質を提供する。
【００５０】
サービス品質は、一群のサービス品質パラメータによって表され、この一群のサービス品質パラメータは、サービス品質が高いかまたは低いかを決定することに留意されたい。一群のサービス品質パラメータは、以下のパラメータ、すなわち、サービス品質クラス識別子(QoS Class Identifier、QCI)、帯域保証型ビットレート(Guaranteed Bit Rate, GBR)、最大ビットレート(Maximum Bit Rate、MBR)、アグリゲート最大ビットレート(Aggregate Maximum Bit Rate、AMBR)などのうちの少なくとも1つを含む可能性がある。QCIは、レイテンシー、パケット損失率、および優先度などのインジケータのうちの1つまたは複数を示す。
【００５１】
ユーザ機器のサービスデータフローが1つの通信テクノロジーのワイヤレス通信システムから別の通信テクノロジーのワイヤレス通信システムに転送される、たとえば、第5世代ワイヤレス通信システムからLTEシステムに、またはLTEシステムから第5世代ワイヤレス通信システムにハンドオーバされるとき、データパケットの送信は、2つの通信テクノロジーのワイヤレス通信システムがユーザ機器のサービスデータフローに関して異なる搬送方法を有する可能性があるので、ハンドオーバプロセス中に不連続である。たとえば、第5世代ワイヤレス通信システムにおいては、非アクセス層上の1つのサービスベアラが、1つのサービスフローと呼ばれ、QoSフロー(QoS flow)とも呼ばれ、複数のサービスフローが、アクセス層の1つのサービスベアラにマッピングされる。非アクセス層は、異なるサービス品質要件のサービスデータフローを、非アクセス層上で異なるサービス品質を提供するサービスフローに追加し、そして、アクセス層は、異なるサービス品質を提供するサービスフローを、ユーザ機器とコアネットワークとの間の経路全体においてアクセス層上の少なくとも1つのサービスベアラにマッピングする。第5世代ワイヤレス通信システムにおいては、ユーザ機器の1つのサービスデータフローが、トラフィックフローテンプレートによってフィルタリングされ、サービスデータフローを運ぶ複数のサービスフローが、得られると想定される。複数のサービスフローによって形成される1つのサービスフローグループは、NAS層上の1つのサービスベアラグループと呼ばれる可能性がある。たとえば、ユーザ機器が、2つのサービスデータフローを有し、非アクセス層が、サービスフロー1にサービスデータフロー1を追加し(サービスフロー1はサービスフローグループ1の中にある可能性がある)、サービスフロー2にサービスデータフロー2を追加する(サービスフロー2はサービスフローグループ2の中にある可能性がある)。さらに、アクセス層が、アクセス層上のサービスベアラ1にサービスフロー1を追加し、アクセス層上のサービスベアラ2にサービスフロー2を追加する。ユーザ機器のハンドオーバが起こるとき、ユーザ機器がハンドオーバされる先のワイヤレス通信システムが、アクセス層上のサービスベアラ2にサービスデータフロー1を追加する可能性がある。結果として、ハンドオーバ前のハンドオーバ元のシステムにおける非アクセス層およびアクセス層上のサービスデータフローのマッピングが、ハンドオーバ後のハンドオーバ先のシステムにおける非アクセス層およびアクセス層上のサービスデータフローのマッピングと異なり、それによって、ユーザ機器の連続性を損なう。
【００５２】
図1-Bに示されるように、LTEシステムに関して、NAS層サービスベアラは、進化型パケットシステムベアラ(evolved packet system bearer、EPS bearer)に対応し、NAS層サービスベアラに対応するAS層サービスベアラは、エアインターフェース無線ベアラ(radio bearer、RB)および地上側トンネル(ground side tunnel)を含む。地上側トンネルは、サービスベアラ毎に確立され、ワイヤレスアクセスデバイスとSGW(serving Gateway、サービスゲートウェイ)との間およびSGWとPGW(PDN gateway、PDNゲートウェイ)との間にそれぞれ置かれるS1ベアラおよびS5ベアラを含む。詳細に関しては、3GPPプロトコルの仕様を参照されたい。
【００５３】
第5世代通信システムに関しては、1つのNAS層サービスベアラが、1つのサービスフローに対応する。1つのAS層サービスベアラは、エアインターフェース無線ベアラRBおよび地上側トンネルに対応する。トンネルは、プロトコル/パケットデータユニットセッション(PDUセッション)毎に確立される。つまり、同じPDUセッションに属するサービスフローは、同じトンネルを使用する。PDUセッションは、プロトコル・データ・ユニット・リンク・サービスを提供するための、サービスコンテンツを提供するユーザ機器とデータネットワーク(たとえば、インターネット)との間のリンクである。各PDUセッションは、一意識別子を有し、PDUセッションの一意識別子は、以下、すなわち、PDUセッション識別子、アクセスポイント名(access point name、APN)、ユーザプレーンコアネットワークデバイスの識別子、ユーザプレーンコアネットワークデバイスのアドレス(たとえば、IPアドレス)、およびユーザプレーンコアネットワークデバイスによってユーザ機器に割り振られるIPアドレスのうちの1つである可能性がある。
【００５４】
さらに、エアインターフェース無線ベアラがサービスデータを運ぶために使用される場合、無線ベアラは、データ無線ベアラ(data radio bearer、DRB)とも呼ばれる。
【００５５】
図2-Aのシステム間情報交換方法の流れ図に示されるように、本発明の実施形態の1つの態様は、システム間情報交換方法を提供する。第1のワイヤレス通信システムは、第2のワイヤレス通信システムと異なる。ユーザ機器は、第1のワイヤレス通信システムおよび第2のワイヤレス通信システムの信号カバーエリア内にあり、第1のワイヤレス通信システムによってサービスを提供される。
【００５６】
A200.  第1のワイヤレス通信システムが、ユーザ機器のサービスデータフローを第2のワイヤレス通信システムに転送すると決定し、第1のワイヤレス通信システムおよび第2のワイヤレス通信システムは、異なる通信テクノロジーを使用する。
【００５７】
A200において、ユーザ機器は、測定レポートを生成するために、第2のワイヤレス通信システムによって送信された信号を測定する。任意で、測定レポートは、第2のワイヤレス通信システムによって送信された信号のものである信号強度および信号品質の測定結果を含む。第1のワイヤレス通信システムは、測定レポートに従って、第2のワイヤレス通信システムがサービス転送条件を満たす、たとえば、測定レポートの信号強度または信号品質が閾値を超えていると判定する可能性があり、第1のワイヤレス通信システムは、ユーザ機器のサービスデータフローが第2のワイヤレス通信システムに転送され得ると判定する。
【００５８】
A201.  第1のワイヤレス通信システムが、第2のワイヤレス通信システムに第1の情報を送信し、第1の情報は、第2のワイヤレス通信システムの非アクセス層上にあり、第1のワイヤレス通信システムの非アクセス層上のユーザ機器のサービスデータフローの1つのサービスベアラグループに対応する1つのサービスベアラを示し、1つのサービスベアラグループは、第1のワイヤレス通信システムの非アクセス層上の少なくとも2つのサービスベアラを含む。
【００５９】
A201において、第1のワイヤレス通信システムは、第1のワイヤレス通信システムの非アクセス層上の1つのサービスベアラグループと第2のワイヤレス通信システムの非アクセス層上の1つのサービスベアラとの間の対応を決定し、第2のワイヤレス通信システムの非アクセス層上にあり、第1のワイヤレス通信システムの非アクセス層上のサービスデータフローのサービスベアラグループに対応するサービスベアラを示すために第1の情報を使用する。
【００６０】
第1のワイヤレス通信システムが第5世代ワイヤレス通信システムであるときは、第1のワイヤレス通信システムの非アクセス層上の1つのサービスベアラが、1つのサービスフローであり、複数のサービスフローが、1つのサービスベアラグループであり、1つのサービスベアラグループが、第1のワイヤレス通信システムのアクセス層上の1つのサービスベアラに対応する。第2のワイヤレス通信システムがLTEシステムであるときは、第2のワイヤレス通信システムの非アクセス層上の1つのサービスベアラが、1つの進化型パケットシステムベアラ(EPS bearer)であり、非アクセス層上の1つのサービスベアラが、第2のワイヤレス通信システムのアクセス層上の1つのサービスベアラに対応する。
【００６１】
第1のワイヤレス通信システムの非アクセス層上の1つのサービスベアラグループと第2のワイヤレス通信システムの非アクセス層上の1つのサービスベアラとの間の対応を決定するために、任意で、第1のワイヤレス通信システムのコアネットワークデバイスは、第1のワイヤレス通信システムのワイヤレスアクセスデバイスによって送信された第2の情報を受信し、第2の情報は、第1のワイヤレス通信システムの非アクセス層上のサービスデータフローの少なくとも1つのサービスベアラグループを特定し、第2の情報、トラフィックフローテンプレート(任意)、およびトラフィックフローテンプレートの優先度(任意)に基づいて、第2のワイヤレス通信システムの非アクセス層上にあり、第1のワイヤレス通信システムの非アクセス層上のサービスデータフローの1つのサービスベアラグループに対応する1つのサービスベアラを決定する。
【００６２】
A202.  第2のワイヤレス通信システムのコアネットワークデバイスが、第1の情報を受信し、第1のワイヤレス通信システムによって決定された対応を認めるべきかどうかを判定する。認められる場合、第2のワイヤレス通信システムのコアネットワークデバイスは、第2のワイヤレス通信システムの非アクセス層上にあり、サービスデータフローに対応する1つのサービスベアラが認められることを示す承認通知を送信する。
【００６３】
A203.  第1のワイヤレス通信システムのコアネットワークデバイスが、第2のワイヤレス通信システムの非アクセス層上にあり、第1のワイヤレス通信システムの非アクセス層上のサービスデータフローの1つのサービスベアラグループに対応する1つのサービスベアラをユーザ機器に通知し、その結果、ユーザ機器は、非アクセス層上でサービスの転送を実行する。
【００６４】
さらに、第1のワイヤレス通信システムのコアネットワークは、第2のワイヤレス通信システムのアクセス層上にあり、サービスデータフローに対応する1つのサービスベアラをユーザ機器にさらに通知する可能性があり、その結果、ユーザ機器は、アクセス層上でサービスの転送を実行する。
【００６５】
本発明のこの実施形態において提供される技術的なソリューションによれば、ユーザ機器が第2のワイヤレス通信システムにおいてサービスデータフローを送信するときにランダムなサービスベアラの割り当てによって引き起こされるサービスの連続性の中断の問題を防止するために、サービスの転送の転送元のシステム(第1のワイヤレス通信システム)が、非アクセス層上のサービスベアラの間の対応を決定する。
【００６６】
図2-Bのシステム間情報交換方法の流れ図に示されるように、本発明の実施形態の1つの態様は、システム間情報交換方法を提供する。第1のワイヤレス通信システムは、第2のワイヤレス通信システムと異なる。ユーザ機器は、第1のワイヤレス通信システムおよび第2のワイヤレス通信システムの信号カバーエリア内にあり、第1のワイヤレス通信システムによってサービスを提供される。この実施形態において、第1のワイヤレス通信システムは、第5世代ワイヤレス通信システムである可能性があり、第2のワイヤレス通信システムは、LTEシステムである可能性がある。
【００６７】
B200.  第2のワイヤレス通信システムが、ユーザ機器のサービスデータフローが第1のワイヤレス通信システムから第2のワイヤレス通信システムに転送されるべきであると判定する。
【００６８】
特に、ユーザ機器は、測定レポートを生成するために、第2のワイヤレス通信システムによって送信された信号を測定する。任意で、測定レポートは、第2のワイヤレス通信システムによって送信された信号のものである信号強度および信号品質の測定結果を含む。第1のワイヤレス通信システムは、測定レポートに従って、第2のワイヤレス通信システムがサービス転送条件を満たす、たとえば、測定レポートの信号強度または信号品質が閾値を超えていると判定する可能性があり、第1のワイヤレス通信システムは、ユーザ機器のサービスデータフローが第2のワイヤレス通信システムに転送され得ると判定する。第1のワイヤレス通信システムは、第2のワイヤレス通信システムにサービス転送要求を送信し、その結果、第2のワイヤレス通信システムは、ユーザ機器のサービスデータフローが第1のワイヤレス通信システムから第2のワイヤレス通信システムに転送されるべきであると判定する。
【００６９】
B201.  第2のワイヤレス通信システムが、第2のワイヤレス通信システムの非アクセス層上にあり、第1のワイヤレス通信システムの非アクセス層上のサービスデータフローの1つのサービスベアラグループに対応する1つのサービスベアラを決定し、サービスベアラグループは、第1のワイヤレス通信システムの非アクセス層上の少なくとも2つのサービスベアラを含む。
【００７０】
B201において、第2のワイヤレス通信システムは、第2のワイヤレス通信システムの非アクセス層上にあり、第1のワイヤレス通信システムの非アクセス層上のサービスベアラグループに対応するサービスベアラを決定する。たとえば、第2のワイヤレス通信システムのコアネットワークデバイスが、第1のワイヤレス通信システムから第3の情報を受信する。第3の情報は、第1のワイヤレス通信システムの非アクセス層上のサービスデータフローの少なくとも1つのサービスベアラグループと、トラフィックフローテンプレートおよびトラフィックフローテンプレートの優先度のうちの少なくとも一方とを示す。少なくとも1つのサービスベアラグループの各々は、第1のワイヤレス通信システムのアクセス層上の1つのサービスベアラに対応し、少なくとも1つのサービスベアラグループは、1つのサービスベアラグループを含む。第2のワイヤレス通信システムのコアネットワークデバイスは、第3の情報に従って、第2のワイヤレス通信システムの非アクセス層上にあり、第1のワイヤレス通信システムの非アクセス層上のサービスデータフローの1つのサービスベアラグループに対応する1つのサービスベアラを決定する。
【００７１】
B202.  第2のワイヤレス通信システムが、第1のワイヤレス通信システムに1つのサービスベアラを通知する。
【００７２】
第2のワイヤレス通信システムは、第1のワイヤレス通信システムに決定されたサービスベアラを通知する。
【００７３】
さらに、第2のワイヤレス通信システムのコアネットワークデバイスは、第2のワイヤレス通信システムの非アクセス層上にあり、サービスデータフローに対応するサービスベアラを第1のワイヤレス通信システムのワイヤレスアクセスデバイスに通知する。
【００７４】
さらに、第2のワイヤレス通信システムのコアネットワークデバイスは、第2のワイヤレス通信システムの非アクセス層上にあり、サービスデータフローに対応する1つのサービスベアラをユーザ機器に通知し、第2のワイヤレス通信システムのコアネットワークデバイスは、第2のワイヤレス通信システムのアクセス層上にあり、サービスデータフローのものである1つのサービスベアラをユーザ機器に通知する。
【００７５】
この実施形態において提供される技術的なソリューションによれば、ユーザ機器が第2のワイヤレス通信システムにおいてサービスデータフローを送信するときにランダムなサービスベアラの割り当てによって引き起こされるサービスの連続性の中断の問題を防止するために、サービスの転送の転送先のシステム(第2のワイヤレス通信システム)が、非アクセス層上のサービスベアラの間の対応を決定する。
【００７６】
図2-Cのシステム間情報交換方法の流れ図に示されるように、本発明の実施形態の1つの態様は、システム間情報交換方法を提供する。第1のワイヤレス通信システムは、第2のワイヤレス通信システムと異なる。ユーザ機器は、第1のワイヤレス通信システムおよび第2のワイヤレス通信システムの信号カバーエリア内にあり、第2のワイヤレス通信システムによってサービスを提供される。この実施形態において、第1のワイヤレス通信システムは、第5世代ワイヤレス通信システムである可能性があり、第2のワイヤレス通信システムは、LTEシステムである可能性がある。
【００７７】
C200.  第1のワイヤレス通信システムが、ユーザ機器のサービスデータフローが第2のワイヤレス通信システムから第1のワイヤレス通信システムに転送されるべきであると判定する。
【００７８】
特に、ユーザ機器は、測定レポートを生成するために、第1のワイヤレス通信システムによって送信された信号を測定する。任意で、測定レポートは、第1のワイヤレス通信システムによって送信された信号のものである信号強度および信号品質の測定結果を含む。第2のワイヤレス通信システムは、測定レポートに従って、第1のワイヤレス通信システムがサービス転送条件を満たす、たとえば、測定レポートの信号強度または信号品質が閾値を超えていると判定する可能性があり、第2のワイヤレス通信システムは、ユーザ機器のサービスデータフローが第1のワイヤレス通信システムに転送され得ると判定する。第2のワイヤレス通信システムは、第1のワイヤレス通信システムにサービス転送要求を送信し、その結果、第1のワイヤレス通信システムは、ユーザ機器のサービスデータフローが第2のワイヤレス通信システムから第1のワイヤレス通信システムに転送されるべきであると判定する。
【００７９】
C201.  第1のワイヤレス通信システムが、第2のワイヤレス通信システムから第4の情報を受信し、第4の情報は、第2のワイヤレス通信システムの非アクセス層上にあり、サービスデータフローのものである1つのサービスベアラを示す。
【００８０】
C202.  第1のワイヤレス通信システムが、第4の情報に従って、第1のワイヤレス通信システムの非アクセス層上にあり、サービスベアラに対応する1つのサービスベアラグループを決定し、サービスベアラグループは、第1のワイヤレス通信システムの非アクセス層上の少なくとも2つのサービスベアラを含む。
【００８１】
C202においては、第1のワイヤレス通信システムのコアネットワークデバイスが、第4の情報、トラフィックフローテンプレート、およびトラフィックフローテンプレートの優先度に従って、第1のワイヤレス通信システムの非アクセス層上にあり、サービスベアラに対応するサービスベアラグループを決定するためにサービスベアラを分割する。
【００８２】
任意で、第1のワイヤレス通信システムのコアネットワークデバイスは、第1のワイヤレス通信システムの非アクセス層上にあり、サービスデータフローに対応するサービスベアラグループを第2のワイヤレス通信システムのワイヤレスアクセスデバイスに通知する。
【００８３】
任意で、第1のワイヤレス通信システムのコアネットワークデバイスは、第2のワイヤレス通信システムを使用することによって、第1のワイヤレス通信システムの非アクセス層上にあり、サービスデータフローに対応するサービスベアラグループをユーザ機器に通知する。
【００８４】
任意で、第1のワイヤレス通信システムのワイヤレスアクセスデバイスが、サービスベアラグループを第1のワイヤレス通信システムのアクセス層上の1つのサービスベアラに対応させる。
【００８５】
任意で、第1のワイヤレス通信システムのワイヤレスアクセスデバイスは、第2のワイヤレス通信システムを使用することによって、第1のワイヤレス通信システムのアクセス層上のサービスデータフローのサービスベアラと第1のワイヤレス通信システムの非アクセス層上のサービスベアラグループとの間の対応をユーザ機器に通知する。
【００８６】
この実施形態において提供される技術的なソリューションによれば、サービスの転送の転送先のシステムとして、第1のワイヤレス通信システムが、サービスが第1のワイヤレス通信システムに転送されるときにサービスの連続性が中断される可能性がある問題を防止するためにアクセス層上のサービスベアラの間の対応を決定する。
【００８７】
本発明の様々な実施形態において、ユーザ機器の1つのサービスデータフローが例として使用されることに留意されたい。実際は、ユーザ機器が、複数のサービスデータフローを有する可能性がある。第1のワイヤレス通信システムのNAS層上の各サービスデータフローの1つのサービスベアラグループが第2のワイヤレス通信システムのNAS層上の1つのサービスベアラに対応することを可能にするための方法は、第2のワイヤレス通信システムのNAS層上の1つのサービスベアラが第1のワイヤレス通信システムのNAS層上の1つのサービスベアラグループに対応することを可能にする方法と同様である。
【００８８】
図3のシステム間情報交換方法の概略図に示されるように、本発明の実施形態の1つの態様は、システム間情報交換方法を提供する。本発明のこの実施形態は、上述の実施形態の改良をさらに提供し、同じまたは同様の内容は、再び説明されない可能性がある。
【００８９】
300.  任意で、ユーザ機器が、第2のワイヤレス通信システムによって送信されたワイヤレス信号の信号強度および受信信号品質を測定し、第1のワイヤレス通信システムに測定レポートを通知する。
【００９０】
特に、ユーザ機器が、第2のワイヤレス通信システムの第2のワイヤレスアクセスデバイスによって送信されたワイヤレス信号の信号強度および信号受信品質を測定し、第1のワイヤレス通信システムの第1のワイヤレスアクセスデバイスに測定レポートを送信する。たとえば、LTEシステムにおいて、信号強度は、基準信号受信電力(reference signal received power、RSRP)であり、信号受信品質は、基準信号受信品質(reference signal received quality、RSRQ)である。測定レポートの送信時間は、第1のワイヤレス通信システム内にあり、ユーザ機器にサービスを提供する第1のワイヤレスアクセスデバイスによって構成される可能性があり、周期的であるかまたは非周期的である可能性がある。
【００９１】
301.  任意で、第1のワイヤレス通信システムが、測定レポートに従って、ユーザ機器のサービスを第2のワイヤレス通信システムに転送する(この実施形態においては、ハンドオーバが例として使用される)と決定する。
【００９２】
任意で、転送の条件に関しては、3GPPプロトコルの仕様を参照されたい。たとえば、測定レポートにおいて示される第2のワイヤレスアクセスデバイスのワイヤレス信号の信号強度およびワイヤレス信号のワイヤレス信号受信品質のうちのいずれか一方が予め設定された閾値以上である場合、第1のワイヤレスアクセスデバイスは、ユーザ機器のサービスが第2のワイヤレス通信システムにハンドオーバされ得ると判定する。
【００９３】
302.  第1のワイヤレス通信システムは、第2のワイヤレス通信システムにハンドオーバ要求を送信し、ハンドオーバ要求は、ユーザ機器のサービスデータフローを第1のワイヤレス通信システムから第2のワイヤレス通信システムにハンドオーバするために使用される。
【００９４】
303.  第1のワイヤレス通信システムが、第2のワイヤレス通信システムに、上述の実施形態の非アクセス層上のサービスベアラグループとサービスベアラとの間の対応を通知するか、または対応を決定するために第2のワイヤレス通信システムによって使用される関連する情報を通知する。303において通知される情報は、302におけるハンドオーバ要求と同じメッセージに含められ、第2のワイヤレス通信システムに送信される可能性があり、またはハンドオーバ要求が送信された後に送信される可能性がある。
【００９５】
たとえば、303の関連する情報は、ユーザ機器のサービスデータフローのために第1のワイヤレス通信システムによって提供されるサービスベアラのサービス品質規則であり、たとえば、ユーザ機器のサービスデータフローのサービスベアラの識別子を含む可能性がある。この場合、第1のワイヤレス通信システムは、第1のワイヤレス通信システム内にあり、ユーザ機器のサービスデータフローのものであるサービスベアラのサービス品質規則を第2のワイヤレス通信システムに直接送信し、その結果、第2のワイヤレス通信システムが、第2のワイヤレス通信システムの非アクセス層上にあり、第1のワイヤレス通信システムの非アクセス層上のユーザ機器のサービスデータフローのサービスベアラに対応するサービスベアラを構成する。任意で、第1のワイヤレス通信システムの非アクセス層上のサービスベアラが非アクセス層上の少なくとも2つのサービスを含む1つのサービスベアラグループである場合、第2のワイヤレス通信システムの非アクセス層上の対応するサービスベアラは、1つのサービスを含む。第1のワイヤレス通信システムの非アクセス層上に1つのサービスベアラが存在する場合、第2のワイヤレス通信システムの非アクセス層上の対応するサービスベアラは、少なくとも2つのサービスを含む1つのサービスベアラである。任意で、第1のワイヤレス通信システムが第5世代ワイヤレス通信システムであるとき、第1のワイヤレス通信システムの非アクセス層上のサービスベアラは、第5世代ワイヤレス通信システムのサービスデータフローのサービスフローグループである可能性がある。第2のワイヤレス通信システムがLTEシステムであるとき、LTEシステムの非アクセス層上のサービスベアラは、LTEシステムのEPSベアラである。
【００９６】
別の例として、対応が、303において送信され、つまり、第1のワイヤレス通信システムの非アクセス層上のユーザ機器のサービスデータフローの1つのサービスベアラグループが、第2のワイヤレス通信システムの非アクセス層上の1つのサービスベアラに対応する。この場合、第1のワイヤレス通信システムは、第2のワイヤレス通信システムの非アクセス層上にあり、第1のワイヤレス通信システムの非アクセス層上のユーザ機器のサービスデータフローの1つのサービスベアラグループに対応する1つのサービスベアラを構成し、第2のワイヤレス通信システムに構成を通知する。第2のワイヤレス通信システムは、第1のワイヤレス通信システムの構成を認めるべきかどうかを判定する可能性がある。認められる場合、第2のワイヤレス通信システムは、第1のワイヤレス通信システムの構成に従ってサービスのハンドオーバを実行する。認められない場合、第2のワイヤレス通信システムは、第2のワイヤレス通信システムが第1のワイヤレス通信システムの構成を認めないことを第1のワイヤレス通信システムに通知し、任意で、第2のワイヤレス通信システムは、第1のワイヤレス通信システムの構成を調整し、調整された結果を第1のワイヤレス通信システムに通知する可能性がある。第1のワイヤレス通信システムが第2のワイヤレス通信システムの非アクセス層上のユーザ機器のサービスの複数のサービスベアラグループを構成する場合、第2のワイヤレス通信システムは、第1のワイヤレス通信システムによって構成された複数のサービスベアラグループのうちでどのサービスベアラグループが認められ、どのサービスベアラグループが認められないかを第1のワイヤレス通信システムに通知する可能性がある。任意で、第1の情報または第3の情報は、ユーザ機器のサービスデータフローのPDUセッション識別子をさらに含む。
【００９７】
ユーザ機器のサービスデータフローは、複数のサービスパケットを含む可能性があることに留意されたい。複数のサービスパケットの中の同じまたは同様のサービス品質の要件を有するサービスパケットは、同じサービス品質を提供する非アクセス層サービスベアラ上で運ばれる。このサービスデータフローのために少なくとも2つの非アクセス層サービスベアラが存在する場合、これらのサービスベアラが、1つのサービスベアラグループを形成する。複数のサービスパケットの中の異なるサービス品質の要件を有するサービスパケットは、異なるサービス品質の非アクセス層サービスベアラ上で運ばれる。
【００９８】
304.  第2のワイヤレス通信システムが、第1のワイヤレス通信システムにハンドオーバ応答を送信する。
【００９９】
305.  ハンドオーバ応答がユーザ機器のサービスが第2のワイヤレス通信システムにハンドオーバされることを許す場合、第1のワイヤレス通信システムは、ユーザ機器にハンドオーバコマンドを送信し、ハンドオーバコマンドは、第1のワイヤレス通信システムから第2のワイヤレス通信システムへのハンドオーバを実行するようにユーザ機器に命令する。
【０１００】
306.  第2のワイヤレス通信システムが、第2のワイヤレス通信システムにおけるユーザ機器のサービスデータフローのものであり、第1のワイヤレス通信システムによって構成されるサービスベアラが許されるのかもしくは許されないのかを第1のワイヤレス通信システムに通知するか、または第1の情報に従って第2のワイヤレス通信システムによって構成され、第2のワイヤレス通信システムの非アクセス層上のユーザ機器のサービスデータフローに対応するサービスベアラを第1のワイヤレス通信システムに通知する。
【０１０１】
306における第1の情報の送信は任意のアクションであり、第2の情報は304のハンドオーバ応答と同じメッセージに含められ、第1のワイヤレス通信システムに送信される可能性があり、またはハンドオーバ応答が送信された後に送信される可能性があることに留意されたい。
【０１０２】
307.  ユーザ機器が、ハンドオーバコマンドに従って第2のワイヤレス通信システムにハンドオーバされる。
【０１０３】
本発明のこの実施形態において提供される技術的なソリューションによれば、第1のワイヤレス通信システムが、第2のワイヤレス通信システムにおけるランダムなサービスベアラの割り当てによって引き起こされるユーザ機器のサービスの連続性の低下を防止するために、第2のワイヤレス通信システムの非アクセス層上のユーザ機器のサービスデータフローに対応し、第2のワイヤレス通信システムによって取得されるサービスベアラについての情報を第2のワイヤレス通信システムに通知し、それによって、ユーザ機器の体験を向上させる。
【０１０４】
図4は、本発明の実施形態の一態様によるシステム間情報交換方法のシステムアーキテクチャの概略図を示す。システムアーキテクチャは、第5世代ワイヤレス通信システムおよびLTEワイヤレス通信システムを含む。
【０１０５】
第5世代ワイヤレス通信システムは、第5世代アクセスネットワークおよび第5世代コアネットワークを含む。第5世代アクセスネットワークは、少なくとも1つの第5世代ワイヤレスアクセスデバイスを含む。第5世代コアネットワークは、少なくとも1つの第5世代コアネットワークデバイス、たとえば、第5世代制御プレーンコアネットワークデバイスおよび第5世代ユーザプレーンコアネットワークデバイスを含む。
【０１０６】
LTEワイヤレス通信システムは、LTEアクセスネットワークおよびLTEコアネットワークを含む。LTEアクセスネットワークのワイヤレスアクセスデバイスは、進化型ノードB(evolved NodeB、eNB)であり、進化型ノードBは、さらに、進化型ワイヤレスアクセスデバイスと呼ばれる。LTEコアネットワークの制御プレーンコアネットワークデバイスは、サービングゲートウェイ(serving gateway、S-GW)およびモビリティ管理エンティティ(mobility management entity、MME)を含み、LTEコアネットワークのユーザプレーンコアネットワークデバイスは、パケットデータゲートウェイ(packet data gateway、P-GW)を含む。
【０１０７】
図4に示されたシステムアーキテクチャに基づいて、実施形態は、システム間情報交換方法を提供する。図5は、以下の内容を含む、システム間情報交換方法の概略的なインタラクションの図を示す。この実施形態は、図3に示された方法の実施形態のさらなる補足および改良である。繰り返しの内容は、再度説明されない可能性がある。図3に示された方法の実施形態が、参照される可能性がある。この実施形態においては、第1のワイヤレス通信テクノロジーが、第5世代通信テクノロジーであり、第1のワイヤレス通信システムが、第5世代ワイヤレス通信システムであり、第2のワイヤレス通信テクノロジーが、LTEテクノロジーであり、第2のワイヤレス通信システムが、LTEワイヤレス通信システムである。したがって、この実施形態は、主に、第5世代ワイヤレス通信システムからLTEワイヤレス通信システムへのユーザ機器のサービスのハンドオーバに関する。
【０１０８】
501.  任意で、ユーザ機器が、第5世代ワイヤレスアクセスデバイスに測定レポートを運ぶメッセージ1を送信する。
【０１０９】
501において、測定レポートは、RSRPおよびRSRQなどの、eNBによって送信された信号の信号強度および受信信号品質の測定結果を含む。
【０１１０】
502.  任意で、第5世代ワイヤレスアクセスデバイスが、ユーザ機器によって報告された測定レポートに従って、eNBが置かれているLTEシステムにユーザ機器をハンドオーバすると決定する。
【０１１１】
第5世代ワイヤレスアクセスデバイスは、測定レポートの信号強度または信号受信品質がハンドオーバの条件を満たすかどうかに従って判定を実行する可能性がある。ハンドオーバの条件の詳細に関しては、3GPPプロトコルの定義を参照されたい。たとえば、第5世代ワイヤレスアクセスデバイスがRSRPおよびRSRQの少なくとも一方が閾値を超えると判定する場合、第5世代ワイヤレスアクセスデバイスは、eNBが置かれているLTEシステムにユーザ機器をハンドオーバすると決定する。
【０１１２】
503.  第5世代ワイヤレスアクセスデバイスが、第5世代制御プレーンコアネットワークデバイスにハンドオーバ要求を運ぶメッセージ2を送信し、メッセージ2は、ユーザ機器のサービスのためにNAS層上で第5世代ワイヤレス通信システムによって提供される各サービスフローのサービス品質パラメータに対応するサービス品質識別子を運ぶ。
【０１１３】
第5世代ワイヤレス通信システムにおいては、NAS層上で、ユーザ機器のサービスのサービス品質が、QoSフロー(QoS flow)に基づいて分類される。1つの種類のサービス品質が、サービス品質パラメータによって示され、サービス品質パラメータは、サービス品質が高いかまたは低いかを決定する。異なるサービスフローは、異なるサービス品質を提供する可能性がある。NAS層上のサービスフローのサービス品質識別子は、NAS層上のサービスフローのフロー識別子によって置き換えられるかまたはマッピングされる可能性がある。ユーザ機器の1つのサービスデータフローは、サービスデータフロー内の異なるデータパケットに異なるサービス品質を提供する複数のサービスフロー上で運ばれる可能性がある。複数のサービスフローが、NAS層上の1つのサービスベアラグループを形成するか、またはサービスベアラグループが、サービスフローグループと呼ばれる。第5世代ワイヤレス通信システムは、少なくとも1つのサービスフローを含む1つのサービスフローグループを第5世代ワイヤレス通信システムのアクセス層上の1つのサービスベアラにマッピングする。異なるグループのサービスフローは、アクセス層上の異なるサービスベアラにマッピングされる。異なるサービスフローは、フロー識別子を使用することによって互いに区別される可能性がある。たとえば、第5世代ワイヤレス通信システムのNAS層は、サービス品質1を提供するサービスフロー1、サービス品質2を提供するサービスフロー2、サービス品質3を提供するサービスフロー3、およびサービス品質4を提供するサービスフロー4を含む。第5世代ワイヤレス通信システムのサービスフロー1およびサービスフロー2は、1つのグループと考えられ、第5世代ワイヤレス通信システムのアクセス層上のサービスベアラ1にマッピングされ、サービスフロー3およびサービスフロー4は、1つのグループとしてサービスベアラ2にマッピングされる。
【０１１４】
サービスフローは、トラフィックフローテンプレート(Traffic Flow Template、TFT)を使用することによってサービスデータフローをフィルタリングすることにより得られる。TFTテンプレートは、サービスデータフローのいくつかの特徴、たとえば、サービスデータフローのものである送信元IPアドレス、送信先IPアドレス、送信元ポート番号、送信先ポート番号、および使用される送信プロトコルを指すIP 5タプルを参照する。特定のサービス品質パラメータを有するサービスフローがフィルタリングによってサービスデータフローから取得され得るように、5タプルのいくつかの要素の特定の値が、TFTテンプレートを形成するために使用される可能性がある。1つのサービスフローが、特定のサービス品質パラメータに対応し、TFTテンプレートに対応するサービス品質パラメータが、ワイヤレス通信システムによって構成される可能性がある。
【０１１５】
任意で、第5世代ワイヤレス通信システム、たとえば、第5世代制御プレーンコアネットワークデバイスは、NAS層上のサービスフローグループを特定するために、NAS層上の一意グループ識別子をサービスフローの1つのグループに割り当てる可能性がある。
【０１１６】
任意で、第5世代ワイヤレス通信システム、たとえば、第5世代制御プレーンコアネットワークデバイスは、アクセス層上のサービスフローグループを特定するために、アクセス層上の一意グループ識別子をサービスフローの1つのグループに割り当てる可能性がある。たとえば、サービスフローの1つのグループが1つのサービスベアラにマッピングされるので、1つのサービスベアラの識別子が、フローのグループのグループ識別子として使用される可能性がある。別の例として、サービスフローの1つのグループのグループ識別子は、第5世代ワイヤレス通信システムのアクセス層上でサービスフローのグループがマッピングされるサービスベアラの識別子と異なる可能性もある。この場合、フローのグループのグループ識別子は、アクセス層上でサービスフローのグループがマッピングされるサービスベアラの識別子と1対1に対応する。
【０１１７】
任意で、メッセージ2は、サービスフローのPDUセッション識別子をさらに含む可能性があり、たとえば、各サービスフローグループのPDUセッション識別子を運ぶ可能性がある。
【０１１８】
任意で、ユーザ機器がハンドオーバされることを要求するワイヤレス通信システムを第5世代制御プレーンコアネットワークデバイスが知ることを可能にするために、メッセージ2は、ユーザ機器がハンドオーバされることを要求するワイヤレス通信システムのワイヤレスアクセスデバイスの識別子を運ぶ。この実施形態において、ユーザ機器がハンドオーバされることを要求するワイヤレス通信システムのワイヤレスアクセスデバイスは、LTEシステムの進化型ワイヤレスアクセスデバイスである。
【０１１９】
504.  メッセージ2を受信した後、第5世代制御プレーンコアネットワークデバイスが、NAS層上にあり、ユーザ機器のサービスのために第5世代ワイヤレス通信システムによって提供される各サービスフローのサービス品質規則に従って、サービスフローがあるグループのものであり、LTEシステム内にあるサービスベアラの構成情報を生成する。サービス品質規則は、サービスフローに対応するサービス品質パラメータ、TFTテンプレート、およびTFTの優先度のうちの少なくとも1つを含む。
【０１２０】
可能な実装において、第5世代制御プレーンコアネットワークデバイスは、サービスフローの1つのグループをLTEシステムの1つのサービスベアラにマッピングし、サービスフローの異なるグループをLTEシステムの異なるサービスベアラにマッピングする。特に、第5世代制御プレーンコアネットワークデバイスは、LTEシステムのサービスフローのグループのサービスベアラの構成情報を得るために、サービスフローの1つのグループのサービス品質パラメータとトラフィックフローテンプレート(traffic flow template、TFT)とを組み合わせる。サービスベアラの構成情報は、TFT、TFTの優先度、サービス品質パラメータ、およびサービスベアラの識別子のうちの少なくとも1つを含む。503において説明されたように、サービスベアラの識別子が、サービスフローのグループのグループ識別子と同じであるか、またはLTEシステムのサービスベアラの識別子が、第5世代ワイヤレス通信システムのNAS層もしくはアクセス層上のサービスフローのグループのグループ識別子と1対1に対応する。任意で、LTEシステムのサービスフローのグループのサービスベアラの構成情報は、PDUセッション識別子をさらに含む。
【０１２１】
505.  第5世代制御プレーンコアネットワークデバイスが、各サービスフローがあるグループのものであり、LTEシステム内にあるサービスベアラの決定された構成情報をメッセージ3を使用することによってLTEシステムのモビリティ管理エンティティ(MME)に送信する。
【０１２２】
506.  モビリティ管理エンティティが、メッセージ4を使用することによってサービスベアラの構成情報をサービングゲートウェイ(S-GW)に送信する。
【０１２３】
507.  サービングゲートウェイがサービスベアラの構成を許す場合、サービングゲートウェイは、メッセージ5を使用することによってLTEシステムのサービスベアラの構成情報を第5世代ユーザプレーンコアネットワークデバイスに送信する。
【０１２４】
メッセージ3、メッセージ4、およびメッセージ5は、指示情報をさらに運ぶ可能性があることに留意されたい。指示情報は、LTEシステムのサービスベアラの構成情報が第5世代制御プレーンコアネットワークデバイスによって生成されることを示す。
【０１２５】
任意で、第5世代ユーザプレーンコアネットワークデバイスがサービスベアラの構成を許さない場合、第5世代ユーザプレーンコアネットワークデバイスは、サービスベアラの構成情報を更新し、メッセージ6を使用することによってサービスベアラの更新された構成情報をサービングゲートウェイに送信する。そして、サービングゲートウェイは、メッセージ7を使用することによってサービスベアラの更新された構成情報をモビリティ管理エンティティに送信する。
【０１２６】
任意で、第5世代ユーザプレーンコアネットワークデバイスがサービスベアラの構成を許す場合、第5世代ユーザプレーンコアネットワークデバイスは、メッセージ6を使用することによって、サービスベアラの構成が許されることをサービングゲートウェイに通知する。
【０１２７】
サービスベアラの構成情報が更新される場合、メッセージ6は、サービスベアラの更新された構成情報を含む。サービスベアラの構成情報が更新されない場合、メッセージ6は、メッセージ5のサービスベアラの構成情報を含む可能性があり、またはメッセージ5のサービスベアラの構成情報を含まない可能性がある。メッセージ6がメッセージ5のサービスベアラの構成情報を含まない場合、メッセージ6を受信した後、サービングゲートウェイは、デフォルトで、サービスベアラの構成情報が更新されないと考える。
【０１２８】
508.  サービングゲートウェイが、メッセージ7を使用することによってサービスベアラの構成情報をモビリティ管理エンティティに送信する。
【０１２９】
サービスベアラの構成情報が更新される場合、メッセージ7は、サービスベアラの更新された構成情報を含む。サービスベアラの構成情報が更新されない場合、メッセージ7は、メッセージ5のサービスベアラの構成情報を含む。
【０１３０】
509.  メッセージ7を受信した後、モビリティ管理エンティティが、メッセージ8を使用することによって、ハンドオーバの準備を行うように進化型ワイヤレスアクセスデバイスに命令する。メッセージ8は、ユーザ機器とコアネットワークとの間の経路全体における少なくとも1つのサービスベアラの構成情報を含む。ユーザ機器とコアネットワークとの間の経路全体における少なくとも1つのサービスベアラの構成情報は、ユーザ機器とアクセスネットワークとの間のベアラの構成情報およびアクセスネットワークとコアネットワークとの間のベアラの構成情報を含む。
【０１３１】
任意で、メッセージ8は、ユーザ機器によって送信されるアップリンクデータの送信先アドレスをさらに含み、たとえば、送信先アドレスは、サービングゲートウェイのアドレスである。
【０１３２】
510.  進化型ワイヤレスアクセスデバイスがハンドオーバの準備を完了する場合、進化型ワイヤレスアクセスデバイスは、モビリティ管理エンティティにハンドオーバの準備の完了を通知する。
【０１３３】
任意で、ハンドオーバの準備が完了されるとき、進化型ワイヤレスアクセスデバイスは、メッセージ8の少なくとも1つのサービスベアラの中の許されるまたは許されないサービスベアラをモビリティ管理エンティティにさらに通知する。
【０１３４】
511.  モビリティ管理エンティティが、メッセージ9を使用することによって、ハンドオーバの準備が完了されることを第5世代制御プレーンコアネットワークデバイスに通知する。
【０１３５】
任意で、モビリティ管理エンティティがハンドオーバの準備が完了されることを第5世代制御プレーンコアネットワークデバイスに通知するとき、モビリティ管理エンティティは、ハンドオーバの準備ができたサービスベアラの識別子と、ハンドオーバの準備ができたサービスベアラによって提供されるサービス品質とをさらに示す。
【０１３６】
任意で、メッセージ9は、データ転送トンネル(data forwarding tunnel)のトンネル情報をさらに含み、トンネル情報は、トンネル識別子、トンネルアドレスなどを含む。さらに、データ転送トンネルは、第5世代ワイヤレスアクセスデバイスとハンドオーバ先のLTEシステムの進化型ワイヤレスアクセスデバイスとの間の直接的なインターフェース上で確立される可能性があり、または間接的なインターフェースを使用することによって確立される可能性がある。たとえば、データ転送トンネルは、第5世代ユーザプレーンコアネットワークデバイスおよび/またはハンドオーバ先のLTEシステムのユーザプレーンコアネットワークデバイスを使用することによって確立される。データ転送トンネルは、サービスフローの各グループのアップリンクおよびダウンリンク毎に別々に確立される可能性がある。さらに、データ転送トンネルは、分割される可能性があり、各部分は、異なる粒度を使用する可能性がある。つまり、第5世代システムのデータ転送トンネルは、PDUセッションの粒度毎に確立され、ハンドオーバ先のLTEシステムにおいて、データ転送トンネルは、サービスベアラの粒度に基づいて確立される。特に、ダウンリンクのデータ転送に関しては、第5世代ワイヤレス通信システムが、PDUセッション毎に確立されたトンネルを介してダウンリンクデータを第5世代ユーザプレーンコアネットワークデバイス(UPGW)に転送する。転送されるデータパケットのヘッダは、サービスフローの識別子を運び、識別子は、サービスフローのサービス品質にマッピングされる可能性がある。第5世代ユーザプレーンコアネットワークデバイスは、NAS層サービスフローグループとハンドオーバ先のLTEシステムのNAS層サービスベアラとの間のマッピング関係に従って、サービスフローグループの中の各サービスフローのデータパケットを対応するデータ転送トンネルに送信し、データパケットのヘッダからサービスフローの識別子を削除する。ハンドオーバ先のLTEシステムにおいて、進化型ワイヤレスアクセスデバイスは、データ転送トンネルから受信されたデータパケットを送信し、その後、ユーザプレーンコアネットワークデバイスから受信された新しいデータパケットを送信することが好ましい。さらに、1つのデータ転送トンネルが、1つのユーザ機器毎に確立される可能性があり、転送されるデータパケットが、サービスフローの識別子およびPDUセッション識別子を運ぶ。
【０１３７】
別の実装において、データ転送トンネルは、第5世代ワイヤレス通信システムと第5世代ユーザプレーンコアネットワークデバイスとの間で確立される。第5世代ワイヤレス通信システムは、PDUセッション毎に確立されたトンネルを介してダウンリンクデータを第5世代ユーザプレーンコアネットワークデバイス(UPGW)に転送する。転送されるデータパケットのヘッダは、サービスフローの識別子を運び、識別子は、サービスフローのサービス品質規則にマッピングされる可能性がある。第5世代ユーザプレーンコアネットワークデバイスは、サービスフローグループとハンドオーバ先のLTEシステムのサービスベアラとの間のマッピング関係に従ってサービスフローのデータパケットを対応するサービスベアラの対応するダウンリンクトンネルに送信する。第5世代ユーザプレーンコアネットワークデバイスは、データ転送トンネルから受信されたデータパケットを送信し、その後、LTEシステムの進化型ワイヤレスアクセスデバイスに新しいデータパケットを送信する、たとえば、インターネットからの新しいサービスデータフローを送信することが好ましい。
【０１３８】
512.  第5世代制御プレーンコアネットワークデバイスが、メッセージ10を使用することによって、ハンドオーバを実行するように第5世代ワイヤレスアクセスデバイスに命令する。任意で、メッセージ10は、LTEシステムにおいて認められ得るサービスフローの少なくとも1つのグループと、サービスフローの少なくとも1つのグループのデータ転送のためのトンネルについての情報(任意)とを含む。サービスフローのグループが、アクセス層グループ識別子または非アクセス層グループ識別子を使用することによって示される可能性がある。任意で、サービスフローグループは、対応するLTEシステムにおけるサービスベアラのアクセス層識別子または非アクセス層識別子を使用することによって示される可能性がある。
【０１３９】
第5世代ワイヤレスアクセスデバイスは、ダウンリンクデータを転送し、転送されるデータは、受信肯定応答がユーザ機器から受信されないすべてのPDCP SDU(PDCPサービスデータユニット)、またはユーザ機器に送信されていないすべてのPDCP SDUを含む可能性がある。加えて、第5世代ユーザプレーンコアネットワークデバイスから得られた新しいデータが、ハンドオーバ先のLTEシステムのハンドオーバ先の進化型ワイヤレスアクセスデバイスに転送される。
【０１４０】
513.  第5世代ワイヤレスアクセスデバイスが、メッセージ11を使用することによって、LTEシステムのワイヤレスアクセスデバイスにアクセスするようにユーザ機器に命令する。
【０１４１】
メッセージ11は、ハンドオーバの準備ができたNAS層サービスベアラのサービス品質情報、LTEシステムのNAS層サービスベアラの識別子とベアラのサービス品質情報との間の対応、およびLTEシステムのNAS層サービスベアラの識別子とLTEシステムのワイヤレスアクセスデバイスの無線ベアラとの間の対応を含む。さらに、メッセージ11は、LTEシステムのNAS層サービスベアラの識別子と第5世代ワイヤレス通信システムのサービスフローのグループのグループ識別子との間の対応をさらに含む可能性がある。サービス品質情報は、TFTテンプレートおよびTFTの優先度などの情報を含む。任意で、サービス品質情報は、第5世代ワイヤレス通信システムのAS層サービスベアラの識別子とLTEシステムのワイヤレスアクセスデバイスの無線ベアラとの間の対応をさらに含む。
【０１４２】
514.  ユーザ機器が、メッセージ12を使用することによってLTEシステムの進化型ノードBにアクセスし、データを送信しはじめる。
【０１４３】
ユーザ機器は、第5世代ワイヤレス通信システムにおける送信のために開始されないデータパケット(たとえば、PDCPサービスデータユニット)から始まる送信を実行しはじめ、データパケットによって必要とされるサービス品質に従って対応するサービスベアラ上でデータを送信する可能性がある。
【０１４４】
特に、ユーザ機器は、第5世代ワイヤレス通信システムにおける送信に関して肯定応答されないデータパケット(たとえば、PDCPサービスデータユニット、すなわち、PDCP SDU)を対応する無線ベアラ上で送信する。ユーザ機器は、サービスフローグループとLTEシステムのNAS層サービスベアラの識別子との間の対応、およびLTEシステムのNAS層サービスベアラの識別子とLTEシステムのワイヤレスアクセスデバイスの無線ベアラとの間の対応に従ってワイヤレスアクセスデバイスの対応する無線ベアラ上でアップリンクデータパケットを送信する。代替的に、第5世代ワイヤレス通信システムのサービスフローグループのアクセス層無線ベアラによって、ユーザ機器は、アクセス層無線ベアラに対応するワイヤレスアクセスデバイスにアップリンクデータパケットを送信する。
【０１４５】
たとえば、ユーザ機器は、まず、第5世代ワイヤレス通信システムにおける成功した送信に関して肯定応答されないデータパケットを送信し、それから、LTEシステムによって構成されるサービスベアラのサービス品質情報を使用することによって得られたデータパケットを送信する。特に、アップリンクデータパケットは、LTEシステムのサービスベアラの識別子とLTEシステムのワイヤレスアクセスデバイスの無線ベアラとの間の対応に従って対応する無線ベアラ上で送信される。
【０１４６】
515.  LTEシステムのワイヤレスアクセスデバイスが、メッセージ13を使用することによって、ユーザ機器がアクセスしたことをモビリティ管理エンティティに通知する。
【０１４７】
516.  モビリティ管理エンティティが、メッセージ14を使用することによって、データ送信チャネルをLTEシステムに切り替えるようにサービングゲートウェイに命令する。メッセージ14は、サービスベアラの送信トンネルのアドレスおよび送信トンネルの識別子を含む。
【０１４８】
517.  サービングゲートウェイが、メッセージ15を使用することによって、ユーザ機器のサービスがLTEシステムにハンドオーバされることを第5世代ユーザプレーンコアネットワークデバイスに通知する。メッセージ15は、送信トンネルのアドレスおよび送信トンネルの識別子を含む。
【０１４９】
第5世代ユーザプレーンコアネットワークデバイスは、NAS層上のサービスベアラの処理の種類をサービスフロー(またはサービスフローグループ)からNAS層上のサービスベアラに変換し、サービスベアラのトンネルをSGWに切り替え、サービスフローのデータチャネル上でエンドマーカ(end marker)を送信する。
【０１５０】
518.  モビリティ管理エンティティが、ユーザ機器のコンテキストを解放するように第5世代ユーザプレーンコアネットワークデバイスに命令し、第5世代ユーザプレーンコアネットワークデバイスは、ユーザ機器のコンテキストを解放するように第5世代ワイヤレスアクセスデバイスに命令する。
【０１５１】
本発明のこの実施形態において提供される技術的なソリューションによれば、ユーザ機器のサービスがLTEシステムにハンドオーバされた後、サービスの連続性が、ユーザ機器のサービスがLTEシステムにハンドオーバされた後に向上され得るように、第5世代制御プレーンコアネットワークデバイスが、NAS層サービスフローグループ(NAS層サービスベアラグループ)とLTEシステムのNAS層サービスベアラとの間の対応を確立する。
【０１５２】
図4に示されたシステムアーキテクチャに基づいて、実施形態は、システム間情報交換方法を提供する。図6は、システム間情報交換方法の概略的なインタラクションの図を示す。この実施形態は、図3に示された方法の実施形態のさらなる補足および改良である。繰り返しの内容は、再度説明されない可能性がある。図3に示された方法の実施形態が、参照される可能性がある。この実施形態においては、第1のワイヤレス通信テクノロジーが、第5世代通信テクノロジーであり、第1のワイヤレス通信システムが、第5世代ワイヤレス通信システムであり、第2のワイヤレス通信テクノロジーが、LTEテクノロジーであり、第2のワイヤレス通信システムが、LTEワイヤレス通信システムである。したがって、この実施形態は、主に、第5世代ワイヤレス通信システムからLTEワイヤレス通信システムへのユーザ機器のサービスのハンドオーバに関する。
【０１５３】
601から603は、501から503と同じである。
【０１５４】
604.  第5世代制御プレーンコアネットワークデバイスが、メッセージ2を受信し、ユーザ機器のサービスのためにNAS層上で第5世代ワイヤレス通信システムによって提供される各サービスフローのサービス品質のサービス品質識別子を、メッセージ3を使用することによってLTEシステムのモビリティ管理エンティティに転送する。
【０１５５】
メッセージ3は、NAS層上の各サービスフローグループのグループ識別子をさらに含む。任意で、メッセージ3は、対応するAS層上の各サービスフローグループのグループ識別子をさらに含む。
【０１５６】
さらに、メッセージ3は、サービスフローのサービス品質規則をさらに含み、サービス品質規則は、サービスフローに対応するサービス品質パラメータ、TFTテンプレート、およびTFTの優先度を含む。さらに、メッセージ3は、サービスフローのPDUセッション識別子をさらに含む可能性がある。
【０１５７】
605.  モビリティ管理エンティティが、メッセージ3内にあり、ユーザ機器のサービスデータフローのためにNAS層上で第5世代ワイヤレス通信システムによって提供される各サービスフローのサービス品質のものであるサービス品質識別子を受信し、LTEシステム内にあり、各サービスフローがあるグループに対応するサービスベアラの構成情報を生成する。
【０１５８】
505において第5世代制御プレーンコアネットワークデバイスによって生成され、LTEシステムの各サービスフローグループのサービスベアラのものである構成情報と同様に、モビリティ管理エンティティは、サービスフローの1つのグループをLTEシステムの1つのサービスベアラにマッピングし、フローの異なるグループをLTEシステムの異なるサービスベアラにマッピングする。特に、モビリティ管理エンティティは、LTEシステムのサービスフローのグループのサービスベアラの構成情報を得るために、サービスフローの1つのグループのサービス品質パラメータとトラフィックフローテンプレート(traffic flow template、TFT)とを組み合わせる。サービスベアラの構成情報は、TFT、TFTの優先度、サービス品質パラメータ、サービスベアラの識別子などを含む。503において説明されたように、サービスベアラの識別子が、サービスフローのグループのグループ識別子と同じであるか、またはサービスベアラの識別子が、NAS層もしくはアクセス層上のサービスフローのグループのグループ識別子と1対1に対応する。
【０１５９】
606から618は、506から518と同じである。本発明のこの実施形態において提供される技術的なソリューションによれば、モビリティ管理エンティティは、ハンドオーバプロセス中にデータ送信の連続性を保証するためにサービスフローのサービス品質をLTEシステムのベアラにマッピングする。
【０１６０】
別の可能な実装では、ステップ605において、モビリティ管理エンティティによって生成されるLTEシステムのサービスベアラがサービスフローグループと1対1に対応しない場合、モビリティ管理エンティティは、LTEシステムのサービスベアラの構成情報を第5世代制御プレーンコアネットワークデバイスに通知する。さらに、LTEシステムは、サービスベアラがサービスフローグループと1対1に対応しないことを第5世代ワイヤレス通信システムに示す。第5世代ワイヤレス通信システムの制御プレーンコアネットワークデバイスは、LTEシステムのサービスベアラの構成情報に従って新しいサービスフローグループを生成し、新しいサービスフローグループを第5世代ワイヤレスアクセスデバイスに送信する。第5世代ワイヤレスアクセスデバイスは、新しいサービスフローグループについての情報に従ってサービスフローと無線ベアラとの間のマッピング関係の再構成を実行し、それから、ハンドオーバを開始する。残りのステップは、606から618と同じである。
【０１６１】
図4に示されたシステムアーキテクチャに基づいて、実施形態は、システム間情報交換方法を提供する。図7は、システム間情報交換方法の概略的なインタラクションの図を示す。この実施形態は、図3に示された方法の実施形態のさらなる補足および改良である。繰り返しの内容は、再度説明されない可能性がある。図3に示された方法の実施形態が、参照される可能性がある。この実施形態においては、第1のワイヤレス通信テクノロジーが、第5世代通信テクノロジーであり、第1のワイヤレス通信システムが、第5世代ワイヤレス通信システムであり、第2のワイヤレス通信テクノロジーが、LTEテクノロジーであり、第2のワイヤレス通信システムが、LTEワイヤレス通信システムである。したがって、この実施形態は、主に、第5世代ワイヤレス通信システムからLTEワイヤレス通信システムへのユーザ機器のサービスのハンドオーバに関する。
【０１６２】
701から703は、501から503と同じである。
【０１６３】
704.  第5世代制御プレーンコアネットワークデバイスが、モビリティ管理エンティティにメッセージ3を送信し、メッセージ3は、NAS層上にあり、ユーザ機器のサービスのために第5世代ワイヤレス通信システムによって提供される各サービスフローのサービス品質を運ぶ。メッセージ3は、NAS層上の各サービスフローグループのグループ識別子をさらに含む。任意で、メッセージ3は、対応するAS層上の各サービスフローグループのグループ識別子をさらに含む。
【０１６４】
さらに、メッセージ3は、サービスフローのサービス品質規則をさらに含み、サービス品質規則は、サービスフローに対応するサービス品質パラメータ、TFTテンプレート、およびTFTの優先度を含む。
【０１６５】
さらに、メッセージ3は、サービスフローのPDUセッション識別子をさらに含む可能性がある。
【０１６６】
705.  モビリティ管理エンティティが、サービングゲートウェイにメッセージ4を送信し、メッセージ4は、NAS層上にあり、ユーザ機器のサービスのために第5世代ワイヤレス通信システムによって提供される各サービスデータフローのサービス品質を運ぶ。
【０１６７】
メッセージ4は、NAS層上の各サービスフローグループのグループ識別子をさらに含む。任意で、メッセージ4は、対応するAS層上の各サービスフローグループのグループ識別子をさらに含む。
【０１６８】
さらに、メッセージ4は、サービスフローのサービス品質規則をさらに含み、サービス品質規則は、サービスフローに対応するサービス品質パラメータ、TFTテンプレート、およびTFTの優先度を含む。
【０１６９】
さらに、メッセージ4は、サービスフローのPDUセッション識別子をさらに含む可能性がある。
【０１７０】
706.  サービングゲートウェイが、第5世代ユーザプレーンコアネットワークデバイスにメッセージ5を送信し、メッセージ5は、NAS層上にあり、ユーザ機器のサービスのために第5世代ワイヤレス通信システムによって提供される各サービスフローのサービス品質を運ぶ。
【０１７１】
メッセージ5は、NAS層上の各サービスフローグループのグループ識別子をさらに含む。任意で、メッセージ5は、対応するAS層上の各サービスフローグループのグループ識別子をさらに含む。
【０１７２】
さらに、メッセージ5は、サービスフローのサービス品質規則をさらに含み、サービス品質規則は、サービスフローに対応するサービス品質パラメータ、TFTテンプレート、およびTFTの優先度を含む。さらに、メッセージ5は、サービスフローのPDUセッション識別子をさらに含む可能性がある。
【０１７３】
707.  第5世代ユーザプレーンコアネットワークデバイスが、NAS層上にあり、ユーザ機器のサービスのために第5世代ワイヤレス通信システムによって提供される各サービスフローのサービス品質に従って、サービスフローがあるグループのものであり、LTEシステム内にあるサービスベアラの構成情報を生成する。
【０１７４】
各サービスフローがあるグループに対応し、LTEシステム内にあるサービスベアラの構成情報を第5世代制御プレーンコアネットワークデバイスが生成する505と同様に、第5世代ユーザプレーンコアネットワークデバイスは、サービスフローの1つのグループをLTEシステムの1つのサービスベアラにマッピングし、サービスフローの異なるグループをLTEシステムの異なるサービスベアラにマッピングする。特に、第5世代ユーザプレーンコアネットワークデバイスは、サービスフローのグループのものであり、LTEシステム内にあるサービスベアラの構成情報を得るために、サービスフローの1つのグループのサービス品質パラメータとトラフィックフローテンプレートとを組み合わせる。サービスベアラの構成情報は、TFT、TFTの優先度、サービス品質パラメータ、サービスベアラの識別子などを含む。上述の実施形態の503において説明されたように、サービスベアラの識別子が、サービスフローのグループのグループ識別子と同じであるか、またはサービスベアラの識別子が、NAS層もしくはアクセス層上のサービスフローのグループのグループ識別子と1対1に対応する。
【０１７５】
708.  第5世代ユーザプレーンコアネットワークデバイスが、サービングゲートウェイにメッセージ6を送信し、メッセージ6は、サービスベアラの構成情報を運ぶ。
【０１７６】
709から718は、506から518と同じである。
【０１７７】
本発明のこの実施形態において提供される技術的なソリューションによれば、ユーザ機器のハンドオーバプロセスにおける連続性が、第5世代ワイヤレス通信システムのNAS層上の1つのサービスフローグループとLTEシステムのNAS層上の1つのサービスベアラとの間の対応を確立することによって高められる。本発明のこの実施形態においては、第5世代ユーザプレーンコアネットワークデバイスが、特に、対応を決定する。したがって、ユーザ機器のサービスがLTEシステムにハンドオーバされた後、サービスの連続性が、保証されることが可能であり、ユーザ機器のサービスがLTEシステムにハンドオーバされた後の体験が、改善される。
【０１７８】
図4に示されたシステムアーキテクチャに基づいて、実施形態は、システム間情報交換方法を提供する。図8は、システム間情報交換方法の概略的なインタラクションの図を示す。この実施形態は、図3に示された方法の実施形態のさらなる補足および改良である。繰り返しの内容は、再度説明されない可能性がある。図3に示された方法の実施形態が、参照される可能性がある。この実施形態においては、第2のワイヤレス通信テクノロジーが、第5世代通信テクノロジーであり、第2のワイヤレス通信システムが、第5世代ワイヤレス通信システムであり、第1のワイヤレス通信テクノロジーが、LTEテクノロジーであり、第1のワイヤレス通信システムが、LTEワイヤレス通信システムである。したがって、この実施形態は、主に、LTEワイヤレス通信システムから第5世代ワイヤレス通信システムへのユーザ機器のサービスのハンドオーバに関する。
【０１７９】
801.  任意で、ユーザ機器が、進化型ワイヤレスアクセスデバイスに測定レポートを運ぶメッセージ1を送信する。
【０１８０】
801において、測定レポートは、第5世代ワイヤレスアクセスデバイスによって送信された信号の信号強度および受信信号品質の測定結果を含む。
【０１８１】
802.  任意で、進化型ワイヤレスアクセスデバイスが、ユーザ機器によって報告された測定レポートに従って、第5世代ワイヤレスアクセスデバイスが置かれている第5世代ワイヤレス通信システムにユーザ機器をハンドオーバすると決定する。
【０１８２】
進化型ワイヤレスアクセスデバイスは、測定レポートの信号強度または信号受信品質がハンドオーバの条件を満たすかどうかに従って判定を実行する可能性がある。たとえば、第5世代ワイヤレスアクセスデバイスによって送信された信号の信号強度または信号受信品質が閾値を超えると判定するとき、進化型ワイヤレスアクセスデバイスは、ユーザ機器を第5世代ワイヤレス通信システムにハンドオーバすると決定する。
【０１８３】
803.  進化型ワイヤレスアクセスデバイスが、モビリティ管理エンティティにメッセージ2を送信し、メッセージ2は、ユーザ機器がハンドオーバされるハンドオーバ先のワイヤレスアクセスデバイスの識別子(この実施形態においては第5世代ワイヤレスアクセスデバイスの識別子)およびハンドオーバの理由を含む。
【０１８４】
804.  メッセージ2を受信した後、モビリティ管理エンティティが、第5世代ワイヤレス通信システムの第5世代制御プレーンコアネットワークデバイスにメッセージ3を送信する。メッセージ3は、ユーザ機器のサービスのためにLTEシステムによって提供される少なくとも1つのサービスベアラの構成情報を示し、少なくとも1つのサービスベアラの構成情報は、少なくとも1つのサービスベアラの識別子およびサービス品質パラメータを含む。任意で、少なくとも1つのサービスベアラの構成情報は、ユーザ機器のサービスベアラに対応するTFTおよびTFTの優先度をさらに含む。
【０１８５】
本発明のこの実施形態において、サービスベアラは、ユーザ機器とアクセスネットワークとの間のベアラおよびコアネットワークとアクセスネットワークとの間のベアラを含む。LTEシステムでは、サービスベアラにおいて、ユーザ機器とアクセスネットワークとの間のベアラは、無線ベアラとも呼ばれ、コアネットワークとアクセスネットワークとの間のベアラは、S1ベアラおよびS5ベアラと呼ばれる。
【０１８６】
805.  第5世代制御プレーンコアネットワークデバイスが、メッセージ3を受信し、ユーザ機器のサービスのためにLTEシステムによって提供されるサービスベアラの構成情報に従って、第5世代ワイヤレス通信システム内にあり、ユーザ機器のサービスデータフローのサービス品質の要件を満たす各サービスフローの構成情報を生成する。
【０１８７】
特に、第5世代制御プレーンコアネットワークデバイスは、LTEシステムのサービスベアラの構成情報に従って各サービスフローの構成情報を生成し、各サービスフローの構成情報は、LTEシステムにおけるユーザ機器のサービスの各サービスベアラが複数のグループに分割され、1つのサービスベアラが1つのグループに対応し、各グループが少なくとも1つのサービスフローを含むことを含む。異なるグループのサービスフローは、第5世代ワイヤレス通信システムのNAS層上の異なるグループ識別子を有する。異なるサービスフローは、異なるフロー識別子、異なるTFT、およびTFTの優先度を有し、異なるサービスフローは、異なるサービス品質を提供する。
【０１８８】
806.  第5世代制御プレーンコアネットワークデバイスが、メッセージ4を使用することによって第5世代ワイヤレスアクセスデバイスにハンドオーバ要求を送信する。メッセージ4は、NAS層上のサービスフローの各グループのグループ識別子と、サービスフローの各グループの中の各サービスフローのフロー識別子とを含む。メッセージ4は、各サービスフローによって提供されるサービス品質パラメータを示す指示情報をさらに含む。任意で、メッセージ4は、サービス品質の指示情報に対応するサービス品質パラメータをさらに含む。さらに、フロー識別子およびサービス品質パラメータの指示情報が、対応を有するか、またはフロー識別子が、サービス品質パラメータを示す。
【０１８９】
さらに、メッセージ4は、サービスフローグループ毎に無線ベアラを確立するようにワイヤレスアクセスネットワークデバイスに命令する、サービスフローグループ毎にサービスベアラを確立するための指示情報をさらに含む。つまり、各サービスフローグループは、1つの無線ベアラに対応する。指示情報は、暗黙的な方法で示される、たとえば、サービスフローグループのNAS層グループ識別子を使用することによって暗黙的に示される可能性もある。
【０１９０】
さらに、メッセージ4は、サービスフローまたはサービスフローグループのPDUセッション識別子をさらに含む可能性がある。
【０１９１】
807.  第5世代ワイヤレスアクセスデバイスが、メッセージ4を受信し、アクセス層を使用することによって同じグループのサービスフローを同じ無線ベアラにマッピングする。
【０１９２】
808.  第5世代ワイヤレスアクセスデバイスが、第5世代制御プレーンコアネットワークデバイスにメッセージ5を送信し、メッセージ5は、807において成功裏にマッピングされるグループおよび成功裏にマッピングされないグループを示す。任意で、メッセージ5は、データ転送トンネル情報をさらに含み、トンネル情報は、トンネルアドレス情報、トンネル識別子情報などのうちの1つまたは複数を含む。成功裏にマッピングされるグループは、ハンドオーバ先の側の、ハンドオーバの準備ができている無線ベアラに対応するサービスフローグループである。データ転送トンネルは、成功裏にマッピングされるサービスフローグループに対応し、1つのサービスフローグループが、1つのデータ転送トンネルに対応する。データ転送トンネルは、進化型ワイヤレスアクセスデバイスと第5世代ワイヤレスアクセスデバイスとの間で確立される。
【０１９３】
さらに、メッセージ5は、第5世代ワイヤレスアクセスデバイスが制御プレーンコアネットワークデバイスによって示されるサービスフローグループに従って承認を実行するかどうかを示す指示情報をさらに運ぶ。さらに、指示情報は、サービスフローグループに対応する無線ベアラまたはサービスフローグループに従って示される可能性がある。
【０１９４】
例として、第5世代ワイヤレスアクセスデバイスがサービスフローグループによって承認およびマッピングを実行することができる場合、809に進む。第5世代ワイヤレスアクセスデバイスがサービスフローグループによらずに承認およびマッピングを実行する場合、下の図9に示される別の実施形態が参照される可能性がある。
【０１９５】
809.  第5世代制御プレーンコアネットワークデバイスが、メッセージ6を使用することによって、成功裏にマッピングされるグループおよび対応するデータ転送トンネル情報をモビリティ管理エンティティに通知する。メッセージ6は、成功裏にマッピングされるサービスフローグループに対応するサービスベアラをさらに示す。
【０１９６】
810.  モビリティ管理エンティティが、進化型ワイヤレスアクセスデバイスにメッセージ7を送信し、メッセージ7は、第5世代ワイヤレス通信システムにハンドオーバされるようにユーザ機器に命令するハンドオーバ命令を含む。
【０１９７】
任意で、メッセージ7は、進化型ワイヤレスアクセスデバイスから第5世代ワイヤレスアクセスデバイスへの成功裏にマッピングされるグループに対して実行される転送されるデータの送信のためのデータ転送トンネル情報をさらに含む。転送されるデータは、進化型ワイヤレスアクセスデバイスと第5世代ワイヤレスアクセスデバイスとの間のデータ転送トンネルを使用することによって送信される。転送されるデータは、正しい受信に関してユーザ機器によって肯定応答されず、LTEシステム内にあるPDCPサービスデータユニット、またはユーザ機器に送信されず、LTEシステム内にあるPDCPサービスデータユニットに含まれる。転送されるデータは、ユーザ機器に送信される新しいデータをさらに含む。
【０１９８】
811.  進化型ワイヤレスアクセスデバイスが、メッセージ8を使用することによってユーザ機器にハンドオーバ命令を送信する。メッセージ8は、ユーザ機器のサービスのために第5世代ワイヤレス通信システムによって提供されるサービスフロー、サービスフローのサービス品質規則、およびLTEシステムのサービスフローグループに対応するNAS層またはAS層サービスベアラをさらに示す。
【０１９９】
812.  ユーザ機器が、メッセージ9を使用することによってサービスを第5世代ワイヤレスアクセスデバイスに切り替え、メッセージ8内に示されるサービスフローおよび第5世代ワイヤレスアクセスデバイスがサービスフローをマッピングする無線ベアラに従ってデータを送信する。
【０２００】
特に、ユーザ機器は、LTEワイヤレス通信システムにおける成功した送信に関して肯定応答されないデータパケット(たとえば、PDCPサービスデータユニット(PDCP SDU))を対応する無線ベアラ上で送信する。ユーザ機器は、LTEシステムのサービスベアラと第5世代ワイヤレス通信システムのサービスフローグループの識別子との間の対応、およびサービスフローグループの識別子と第5世代ワイヤレスアクセスデバイスの無線ベアラとの間の対応に従って、第5世代ワイヤレスアクセスデバイスの対応する無線ベアラ上でアップリンクデータパケットを送信する。ユーザ機器は、サービスフローに従ってLTEシステムの無線ベアラ上でデータを送信する。
【０２０１】
代替的に、ユーザ機器は、第5世代ワイヤレス通信システム内にあり、LTEシステムのサービスベアラに対応するLTEシステムの無線ベアラに対応する無線ベアラ上でデータを送信する。ユーザ機器は、まず、LTEシステムにおける成功した送信に関して肯定応答されないデータパケットを送信し、それから、第5世代ワイヤレス通信システムによって構成されるサービスベアラのサービス品質情報を使用することによって得られたデータパケットを送信する。
【０２０２】
813.  第5世代ワイヤレスアクセスデバイスが、ユーザ機器が成功裏にハンドオーバされることを示すために第5世代制御プレーンコアネットワークデバイスにメッセージ10を送信する。
【０２０３】
任意で、ユーザ機器が成功裏にハンドオーバされた後、第5世代制御プレーンコアネットワークデバイスは、ユーザ機器のサービス品質を継続的に改善するために、ユーザ機器のサービスがあるサービスフローおよびサービスフローがマッピングされるベアラを調整する。
【０２０４】
816.  第5世代制御プレーンコアネットワークデバイスが、ユーザ機器のサービスをLTEシステムから第5世代ワイヤレス通信システムにハンドオーバするために第5世代ユーザプレーンコアネットワークデバイスにメッセージ11を送信する。メッセージ11は、ユーザ機器のサービスがあるサービスフローのサービス品質規則を含み、サービス品質規則は、サービス品質パラメータ、TFT、およびTFTの優先度のうちの少なくとも1つを含む。
【０２０５】
817.  第5世代制御プレーンコアネットワークデバイスが、メッセージ12を使用することによって、LTEシステムにおけるユーザ機器のコンテキストを解放するようにモビリティ管理エンティティに命令する。
【０２０６】
818.  モビリティ管理エンティティが、ユーザ機器のコンテキストを解放するように進化型ワイヤレスアクセスデバイスに命令する。
【０２０７】
本発明のこの実施形態において提供される技術的なソリューションによれば、ユーザ機器のハンドオーバプロセスにおける連続性が、第5世代ワイヤレス通信システムのNAS層上の1つのサービスフローグループとLTEシステムのNAS層上の1つのサービスベアラとの間の対応を確立することによって高められる。
【０２０８】
図9に示されるように、本発明の実施形態の別の態様は、システム間サービス情報交換方法を提供する。
【０２０９】
メッセージ1からメッセージ4の送信は、図8に示された実施形態のメッセージ1からメッセージ4の送信と同じである。さらに、メッセージ5からメッセージ14が、この実施形態において説明される。この実施形態は、別個の実施形態として独立して実行される可能性があり、または図8に示された実施形態と組み合わされる可能性がある。
【０２１０】
第5世代ワイヤレスアクセスデバイスは、第5世代制御プレーンコアネットワークデバイスにメッセージ5を送信し、メッセージ5は、第5世代ワイヤレスアクセスデバイスのハンドオーバの準備中に確立される無線ベアラに対応するサービスフローグループを含む。
【０２１１】
メッセージ5は、第5世代ワイヤレスアクセスデバイス側にあり、成功裏に認められたダウンリンクサービスフローに対応するPDUセッショントンネルのものであるエンドポイント情報を含む。
【０２１２】
任意で、メッセージ5は、データ転送トンネル情報をさらに含み、トンネル情報は、トンネルアドレス情報、トンネル識別子情報などのうちの1つまたは複数を含む。成功裏にマッピングされるグループは、第5世代ワイヤレス通信システムにおいてハンドオーバの準備ができているサービスフローグループである。データ転送トンネルは、成功裏にマッピングされるサービスフローグループのPDUセッションに対応し、1つのPDUセッションが、1つのデータ転送トンネルに対応する。
【０２１３】
さらに、データ転送トンネルは、サービスフローと1対1に対応する可能性がある。
【０２１４】
データ転送トンネルは、第5世代ワイヤレスアクセスデバイスと第5世代ユーザプレーンコアネットワークデバイスとの間で確立される。データ転送トンネルは、ハンドオーバ先の側のデータ転送トンネルとして定義される可能性がある。同様に、LTEシステムのデータ転送トンネルは、進化型ノードBと第5世代ユーザプレーンコアネットワークデバイスとの間で確立されたデータ転送トンネルを指す。
【０２１５】
第5世代制御プレーンコアネットワークデバイスは、メッセージ6を使用することによって、成功裏にマッピングされるサービスフローおよびハンドオーバ先の側のデータ転送トンネル情報を第5世代ユーザプレーンコアネットワークデバイスに通知する。データ転送トンネル情報は、ハンドオーバ先の側のデータ転送トンネルのものであるアドレス情報、識別子情報などのうちの1つまたは複数を含む。
【０２１６】
メッセージ6は、ユーザ機器のサービスがあるサービスフローのサービス品質規則をさらに含み、サービス品質規則は、サービス品質パラメータ、TFT、およびTFTの優先度を含む。
【０２１７】
任意で、第5世代ユーザプレーンコアネットワークデバイスは、メッセージ7を使用することによってデータ転送トンネル情報をLTEに通知する。データ転送トンネルは、第5世代ユーザプレーンコアネットワークデバイスへのダウンリンクの転送されるデータにLTEシステムの進化型ノードBによって使用される。
【０２１８】
メッセージ7は、第5世代ユーザプレーンコアネットワークデバイス側の、アップリンクサービスフローに対応するPDUセッショントンネルのものであるエンドポイント情報を含む。
【０２１９】
第5世代制御プレーンコアネットワークデバイスは、メッセージ8を使用することによって、成功裏に認められるベアラ、成功裏に認められないベアラ、および部分的に成功裏に認められるベアラの識別子を含む、ハンドオーバ要求内のサービスベアラのハンドオーバ先の側の承認情報をモビリティ管理エンティティに通知する。部分的に成功裏に認められるベアラは、ベアラに対応する複数のサービスフローのうちの一部だけがハンドオーバ先の側で成功裏に認められることを意味する。
【０２２０】
さらに、メッセージ8は、ハンドオーバ元の側のデータ転送トンネル情報をさらに含む。データ転送トンネルは、ハンドオーバ元の側の1つのサービスベアラに対応するか、または1つのPDNリンクに対応する可能性がある。
【０２２１】
モビリティ管理エンティティは、進化型ノードBにメッセージ9を送信し、メッセージ9は、第5世代ワイヤレス通信システムにハンドオーバされるようにユーザ機器に命令するハンドオーバ命令を含む。
【０２２２】
任意で、メッセージ9は、ハンドオーバ先の側で成功裏に認められたサービスベアラに対して実行され、進化型ノードBから第5世代ユーザプレーンコアネットワークデバイスへのものであるデータ転送のための転送情報をさらに含み、部分的に成功裏に認められたサービスベアラに対して実行され、進化型ノードBから第5世代ユーザプレーンコアネットワークデバイスへのものであるデータ転送のためのデータ転送情報をさらに含む。ダウンリンクの転送されるデータは、正しい受信に関してユーザ機器によって肯定応答されず、LTEシステム内にあるPDCPサービスデータユニット、またはLTEシステム内のユーザ機器に送信されないPDCPサービスデータユニットに含まれる。転送されるデータは、ユーザ機器に送信される新しいデータをさらに含む。
【０２２３】
進化型ノードBは、メッセージ10を使用することによってユーザ機器にハンドオーバ命令を送信する。メッセージ10は、ユーザ機器のサービスデータフローのために第5世代ワイヤレス通信システムによって提供されるサービスフロー、サービスフローのサービス品質規則、およびLTEシステムのサービスフローグループに対応するサービスベアラをさらに含む。
【０２２４】
ユーザ機器は、メッセージ11を使用することによってサービスデータフローを第5世代ワイヤレスアクセスデバイスに切り替え、メッセージ10内に示されるサービスフローおよび第5世代ワイヤレスアクセスデバイスがサービスフローをマッピングする無線ベアラに従ってデータを送信する。
【０２２５】
第5世代ワイヤレスアクセスデバイスは、ユーザ機器が成功裏にハンドオーバされることを示すために第5世代制御プレーンコアネットワークデバイスにメッセージ12を送信する。
【０２２６】
第5世代制御プレーンコアネットワークデバイスは、ユーザ機器のサービスをLTEシステムのサービスベアラから第5世代ワイヤレス通信システムのサービスフローにハンドオーバするために第5世代ユーザプレーンコアネットワークデバイスにメッセージ13を送信する。第5世代ユーザプレーンコアネットワークデバイスは、ダウンリンクデータトンネルの切り替えを実行する。
【０２２７】
第5世代ユーザプレーンコアネットワークデバイスは、ハンドオーバ元の側の進化型ノードBから転送されるデータを受信し、第5世代ワイヤレスアクセスデバイスに転送されるデータを送信する。
【０２２８】
特に、LTEシステムのデータ転送は、以下の通りである。
【０２２９】
進化型ノードBは、データ転送トンネルを使用することによって第5世代ユーザプレーンコアネットワークデバイスに転送されるデータを送信する。データ転送トンネルは、サービスベアラ毎にまたはPDNリンク毎に確立される。データ転送が完了されるとき、進化型ノードBは、たとえば、エンドマーカを使用することによって、トンネルに基づくデータ転送の終了を示す。つまり、サービスベアラ毎のデータ転送の終了が示される可能性があり、またはPDN毎のすべてのデータ転送の終了が示される可能性がある。
【０２３０】
データ転送は、正しい受信に関してユーザ機器によって肯定応答されず、LTEシステム内にあるPDCPサービスデータユニット、またはLTEシステム内のユーザ機器に送信されないPDCPサービスデータユニットに含まれる。データ転送は、ユーザ機器に送信される新しいデータをさらに含む。
【０２３１】
第5世代ワイヤレス通信システムのデータ転送は、以下の通りである。
【０２３２】
第5世代ユーザプレーンコアネットワークデバイスは、転送されるデータを受信し、サービスフローのサービス品質規則に従って、転送されるデータをハンドオーバ先の側で認められたサービスフローに分割し、ハンドオーバ先の側で認められないサービスフローの転送されるデータを破棄する可能性がある。第5世代ユーザプレーンコアネットワークデバイスは、ハンドオーバ先の側のデータ転送トンネルを使用することによってハンドオーバ先の側の第5世代ワイヤレスアクセスデバイスに転送されるデータを送信する。データ転送トンネルは、サービスフロー毎にまたはPDUセッション毎に確立される。データ転送が完了されるとき、第5世代ユーザプレーンコアネットワークデバイスは、たとえば、エンドマーカを使用することによって、トンネルに基づくデータ転送の終了を示す。つまり、各サービスフローのデータ転送の終了が示される可能性があり、またはPDUセッションのすべてのデータ転送の終了が示される可能性がある。好ましくは、ハンドオーバ先の側の第5世代ワイヤレスアクセスデバイスは、転送されるデータパケットを送信し、それから、新しく送信されるデータパケットを第5世代ユーザプレーンコアネットワークデバイスから送信する。
【０２３３】
さらに、第5世代ワイヤレス通信システムは、データ転送トンネルを確立せず、第5世代ユーザプレーンコアネットワークデバイスは、ハンドオーバの準備フェーズにおいて確立されたサービスフローのPDUセッショントンネルを使用することによって転送されるデータを送信する。第5世代ユーザプレーンコアネットワークデバイスは、まず、LTEシステムから受信された転送されるデータを送信し、それから、新しいデータを送信する。
【０２３４】
第5世代制御プレーンコアネットワークデバイスは、メッセージ14を使用することによって、LTEシステムにおけるユーザ機器のコンテキストを解放するようにモビリティ管理エンティティに命令する。
【０２３５】
モビリティ管理エンティティは、ユーザ機器のコンテキストを解放するように進化型eノードBに命令する。
【０２３６】
本発明のこの実施形態において提供される技術的なソリューションによれば、ユーザ機器のハンドオーバプロセスにおける連続性が、第5世代ワイヤレス通信システムのNAS層上の1つのサービスフローグループとLTEシステムのNAS層上の1つのサービスベアラとの間の対応を確立することによって高められる。本発明のこの実施形態において、第5世代制御プレーンコアネットワークデバイスは、ユーザ機器のサービスがLTEシステムから第5世代ワイヤレス通信システムにハンドオーバされた後にデータパケットの送信が連続的でないという問題を避けるために、対応を特に決定する。
【０２３７】
図4に示されたシステムアーキテクチャに基づいて、実施形態は、システム間情報交換方法を提供する。図10は、このシステム間情報交換方法の概略的なインタラクションの図を示す。この実施形態においては、第1のワイヤレス通信テクノロジーが、第5世代通信テクノロジーであり、第1のワイヤレス通信システムが、第5世代ワイヤレス通信システムであり、第2のワイヤレス通信テクノロジーが、LTEテクノロジーであり、第2のワイヤレス通信システムが、LTEワイヤレス通信システムである。したがって、この実施形態は、主に、第5世代ワイヤレス通信システムからLTEワイヤレス通信システムへのユーザ機器のサービスデータフローのハンドオーバに関する。
【０２３８】
1001.  任意で、ユーザ機器が、第5世代ワイヤレスアクセスデバイスに測定レポートを運ぶメッセージ1を送信する。
【０２３９】
1001において、測定レポートは、RSRPおよびRSRQなどの、eNBによって送信された信号の信号強度および受信信号品質の測定結果を含む。
【０２４０】
1002.  任意で、第5世代ワイヤレスアクセスデバイスが、ユーザ機器によって報告された測定レポートに従って、eNBが置かれているLTEシステムにユーザ機器をハンドオーバすると決定する。
【０２４１】
第5世代ワイヤレスアクセスデバイスは、測定レポートの信号強度または信号受信品質がハンドオーバの条件を満たすかどうかに従って判定を実行する可能性がある。ハンドオーバの条件の詳細に関しては、3GPPプロトコルの定義を参照されたい。たとえば、RSRPおよびRSRQのうちの少なくとも一方が閾値を超えると第5世代ワイヤレスアクセスデバイスが判定する場合、第5世代ワイヤレスアクセスデバイスは、eNBが置かれているLTEシステムにユーザ機器をハンドオーバすると決定する。
【０２４２】
1003.  第5世代ワイヤレスアクセスデバイスが、すべてのサービスフローを1つの無線ベアラに再構成する。特に、アップリンクに関して、第5世代ワイヤレスアクセスデバイスは、たとえば、RRCシグナリングを使用することによってアップリンクサービスフローと無線ベアラとの間のマッピング関係を端末に通知する。端末は、アップリンクサービスフローを無線ベアラにマッピングする。さらに、無線ベアラは、デフォルトの無線ベアラである可能性がある。デフォルトの無線ベアラは、PDUセッションの確立フェーズにおいて第5世代ワイヤレスアクセスデバイスによって確立され、デフォルトのサービス品質のサービスフローを提供する無線ベアラである。
【０２４３】
1004.  第5世代ワイヤレスアクセスデバイスは、第5世代制御プレーンコアネットワークデバイスにハンドオーバ要求を運ぶメッセージ2を送信し、メッセージ2は、デフォルトのベアラに対応するPDUセッションの識別子情報を運ぶ。
【０２４４】
1005.  メッセージ2を受信した後、第5世代制御プレーンコアネットワークデバイスが、メッセージ3を使用することによって、メッセージ2内のデフォルトのベアラに対応するPDUセッションの識別子情報をLTEシステムのモビリティ管理エンティティ(MME)に送信する。
【０２４５】
1006.  モビリティ管理エンティティが、メッセージ4、メッセージ5、メッセージ6、およびメッセージ7を使用することによって、メッセージ2内で特定されたPDUセッションを確立する。
【０２４６】
1007.  モビリティ管理エンティティが、メッセージ8を使用することによって、デフォルトのベアラを確立するように進化型ノードBに命令する。デフォルトのベアラが成功裏に確立される場合、デフォルトのベアラに関するハンドオーバの準備は、第5世代ワイヤレス通信システムにおいて成功である。
【０２４７】
1008.  モビリティ管理エンティティが、メッセージ9を使用することによって、ハンドオーバの準備が成功であることを第5世代制御プレーンコアネットワークデバイスに通知する。
【０２４８】
任意で、メッセージ9は、データ転送トンネルのトンネル情報をさらに含み、トンネル情報は、トンネル識別子、トンネルアドレスなどを含む。さらに、データ転送トンネルは、第5世代ワイヤレスアクセスデバイスとハンドオーバ先のLTEシステムの進化型ノードBとの間の直接的なインターフェース上で確立される可能性があり、または間接的なインターフェースを使用することによって確立される可能性がある。たとえば、データ転送トンネルは、第5世代ユーザプレーンコアネットワークデバイスまたはLTEシステムのユーザプレーンコアネットワークデバイスを使用することによって確立される。データ転送トンネルは、デフォルトのベアラ毎に確立される。
【０２４９】
1009.  第5世代制御プレーンコアネットワークデバイスが、メッセージ10を使用することによって、ハンドオーバを実行するように第5世代ワイヤレスアクセスデバイスに命令する。第5世代ワイヤレスアクセスデバイスは、ダウンリンクデータを転送し、転送されるデータは、受信に関して端末によって肯定応答されないすべてのPDCP SDU(PDCPサービスデータユニット)または端末に送信されていないすべてのPDCP SDUを含む可能性がある。加えて、第5世代ユーザプレーンコアネットワークデバイスから得られた新しいデータが、LTEシステムの進化型ノードBに転送される。
【０２５０】
1010.  第5世代ワイヤレスアクセスデバイスが、メッセージ11を使用することによって、LTEシステムのワイヤレスアクセスデバイスにアクセスするようにユーザ機器に命令する。
【０２５１】
メッセージ11は、ハンドオーバの準備ができたサービスベアラの構成情報を含む。サービスベアラの構成情報は、サービスベアラのサービス品質情報、サービスベアラの識別子とベアラのサービス品質情報との間の対応、およびサービスベアラの識別子とLTEシステムのワイヤレスアクセスデバイスの無線ベアラとの間の対応を含む。
【０２５２】
1011.  ユーザ機器が、メッセージ12を使用することによってLTEシステムのワイヤレスアクセスデバイスにアクセスし、データを送信しはじめる。
【０２５３】
ユーザ機器は、第5世代ワイヤレス通信システムにおける送信のために開始されないデータパケット(たとえば、PDCPサービスデータユニット)から始まる送信を実行しはじめ、データパケットによって必要とされるサービス品質に従って対応するサービスベアラ上でデータを送信する可能性がある。
【０２５４】
特に、ユーザ機器は、第5世代ワイヤレス通信システムにおける送信に関して肯定応答されないデータパケット(たとえば、PDCPサービスデータユニット、PDCP SDU)を対応する無線ベアラ上で送信する。ユーザ機器は、サービスフローとサービスベアラの識別子との間の対応およびサービスベアラの識別子と進化型ノードBの無線ベアラとの間の対応に従って対応する無線ベアラ上でアップリンクデータパケットを送信する。
【０２５５】
代替的に、ユーザ機器は、進化型ノードBのものであり、第5世代ワイヤレス通信システムのサービスフローの無線ベアラに対応する無線ベアラ上でデータを送信する。ユーザ機器は、まず、第5世代ワイヤレス通信システムにおける送信に関して肯定応答されないデータパケットを送信し、それから、LTEシステムによって構成されるサービスベアラのサービス品質情報を使用することによって得られたデータパケットを送信する。特に、アップリンクデータパケットは、サービスベアラの識別子と進化型ノードBの無線ベアラとの間の対応に従って対応する無線ベアラ上で送信される。
【０２５６】
1012.  LTEシステムの進化型ノードBが、メッセージ13を使用することによって、ユーザ機器がアクセスしたことをモビリティ管理エンティティに通知する。
【０２５７】
1013.  モビリティ管理エンティティが、メッセージ14を使用することによって、データ送信チャネルをLTEシステムに切り替えるようにサービングゲートウェイに命令する。メッセージ14は、サービスベアラの送信トンネルのアドレスおよび送信トンネルの識別子を含む。
【０２５８】
1014.  サービングゲートウェイが、メッセージ15を使用することによって、ユーザ機器のサービスがLTEシステムにハンドオーバされることを第5世代ユーザプレーンコアネットワークデバイスに通知する。メッセージ15は、送信トンネルのアドレスおよび送信トンネルの識別子を含む。
【０２５９】
第5世代ユーザプレーンコアネットワークデバイスは、サービスベアラの処理の種類をサービスフローからサービスベアラに変換し、サービスベアラのトンネルをSGWに切り替え、サービスフローのデータチャネル上でエンドマーカを送信する。
【０２６０】
1015.  モビリティ管理エンティティが、ユーザ機器のコンテキストを解放するように第5世代ユーザプレーンコアネットワークデバイスに命令し、第5世代ユーザプレーンコアネットワークデバイスは、ユーザ機器のコンテキストを解放するように第5世代ワイヤレスアクセスデバイスに命令する。
【０２６１】
さらに、データ転送の別の実装は、データ転送トンネルが第5世代ワイヤレス通信システムと第5世代ユーザプレーンコアネットワークデバイスとの間で確立されることである。第5世代ワイヤレス通信システムは、PDUセッション毎に確立されたトンネルを使用することによってダウンリンク転送データを第5世代ユーザプレーンコアネットワークデバイス(UPGW)に転送する。転送されるデータパケットのヘッダは、サービスフローの識別子を運び、識別子は、サービスフローのサービス品質にマッピングされる可能性がある。第5世代ユーザプレーンコアネットワークデバイスは、サービスフローグループとハンドオーバ先のLTEシステムのサービスベアラとの間のマッピング関係に従ってサービスフローのデータパケットを対応するサービスベアラの対応するダウンリンクトンネルに送信する。好ましくは、第5世代ユーザプレーンコアネットワークデバイスは、データ転送トンネルから受信されたデータパケットを送信し、それから、新しいデータパケット、たとえば、外部ネットワークからの新しいデータパケットを送信する。
【０２６２】
本発明のこの実施形態において提供される技術的なソリューションによれば、ユーザ機器のハンドオーバプロセスにおける連続性が、第5世代ワイヤレス通信システムのNAS層上の1つのサービスフローグループとLTEシステムのNAS層上の1つのサービスベアラとの間の対応を確立することによって高められる。本発明のこの実施形態においては、第5世代制御プレーンコアネットワークデバイスが、特に、対応を決定する。
【０２６３】
以下の実施形態においては、図11から図15に示されるように、本発明の実施形態が、上述の方法の実施形態を実行するために使用される第1のワイヤレス通信システム、第2のワイヤレス通信システム、ワイヤレスアクセスデバイス、コアネットワークデバイス、およびユーザ機器の概略的な構造図を提供する。以下で、詳細な説明を提供する。
【０２６４】
本発明の実施形態のさらに別の態様は、上述の方法の実施形態を実行することができるワイヤレス通信システムを提供する。ワイヤレス通信システムは、ユーザ機器のサービスが第1のワイヤレス通信システムから第2のワイヤレス通信システムに転送されるプロセスにおいて第2のワイヤレス通信システムと情報を交換するための第1のワイヤレス通信システム1100として使用される。第1のワイヤレス通信システムおよび第2のワイヤレス通信システムは、異なる通信テクノロジーを使用する。第1のワイヤレス通信システムは、第5世代ワイヤレス通信システムである可能性があり、第5世代ワイヤレス通信システムにおけるユーザ機器の1つのサービスデータフローが、NAS層上の少なくとも1つのサービスフローグループ(サービスベアラグループとも呼ばれる)で運ばれ、サービスデータフローは、TFTテンプレートを使用することによってフィルタリングされた後、サービスフローグループの中のすべてのサービスフロー上で別々に運ばれる可能性がある。第5世代ワイヤレス通信システムのNAS層上の1つのサービスフローグループは、第5世代ワイヤレス通信システムのアクセス層上の1つのサービスベアラに対応する。第2のワイヤレス通信システムは、LTEシステムである可能性がある。ユーザ機器のサービスデータフローは、LTEシステムのNAS層上の1つのサービスベアラで運ばれ、LTEシステムのNAS層上の1つのサービスベアラは、LTEシステムのアクセス層上の1つのサービスベアラに対応する。
【０２６５】
本発明のこの実施形態において、第1のワイヤレス通信システム1100は、第1のデバイス1101および第2のデバイス1102を含む。第1のデバイス1101および第2のデバイス1102は、論理的な機能エンティティである。たとえば、第1のデバイスは、第1のワイヤレス通信システムのワイヤレスアクセスデバイスまたは第1のワイヤレス通信システムのコアネットワークデバイスである可能性があり、第2のデバイスは、第1のワイヤレス通信システムのコアネットワークデバイスである可能性がある。本明細書において、第1のワイヤレス通信システムのコアネットワークデバイスは、第1のワイヤレス通信システムのユーザプレーンコアネットワークデバイスまたは第1のワイヤレス通信システムの制御プレーンコアネットワークデバイスである可能性がある。
【０２６６】
第1のデバイス1101は、ユーザ機器のサービスデータフローを第2のワイヤレス通信システムに転送すると決定するように構成される。
【０２６７】
第1のデバイス1101がワイヤレスアクセスデバイスである場合、ワイヤレスアクセスデバイスは、ユーザ機器から測定レポートを受信し、測定レポート内にあり、第2のワイヤレス通信システム(特に、第2のワイヤレス通信システムのワイヤレスアクセスデバイス)によって送信される信号強度および信号品質のものである測定結果に従って、ユーザ機器のサービスデータフローを第2のワイヤレス通信システムに転送すると決定するように構成される可能性がある。
【０２６８】
第1のデバイス1101がコアネットワークデバイスである場合、ワイヤレスアクセスデバイスは、測定レポートの判定結果に従って、サービスの転送を実行するように第1のワイヤレス通信システムのコアネットワークデバイスに問い合わせるかまたは要求する可能性がある。コアネットワークデバイスは、サービスの転送を実行すべきかどうかを判定する。
【０２６９】
第2のデバイス1102は、第2のワイヤレス通信システムに第1の情報を送信するように構成され、第1の情報は、第2のワイヤレス通信システムの非アクセス層上にあり、第1のワイヤレス通信システムの非アクセス層上のユーザ機器のサービスデータフローの1つのサービスベアラグループに対応する1つのサービスベアラを示し、サービスベアラグループは、第1のワイヤレス通信システムの非アクセス層上の少なくとも2つのサービスベアラを含む。
【０２７０】
第2のデバイス1102は、コアネットワークデバイスである。第1のデバイスがサービスの転送を実行すると決定するとき、第2のデバイスは、NAS層上のユーザ機器のサービスデータフローのサービスベアラグループと第2のワイヤレス通信システムのNAS層上のサービスベアラとの間の対応を決定し、第1の情報を使用することによって対応を第2のワイヤレス通信システムに通知する。
【０２７１】
対応を決定するために、第2のデバイスは、第1のワイヤレス通信システムのワイヤレスアクセスデバイスによって送信された第2の情報を受信するようにさらに構成される。第2の情報は、第1のワイヤレス通信システムの非アクセス層上のサービスデータフローの少なくとも1つのサービスベアラグループを特定し、少なくとも1つのサービスベアラグループの各々は、第1のワイヤレス通信システムのアクセス層上の1つのサービスベアラに対応し、少なくとも1つのサービスベアラグループは、1つのサービスベアラグループを含む。したがって、第2のデバイスは、第2の情報に基づいて対応を決定するように特に構成される。
【０２７２】
本発明のこの実施形態において、第2のデバイスは、上述の方法の実施形態の第1のワイヤレス通信システムの(制御プレーンコアネットワークデバイスまたはユーザプレーンコアネットワークデバイスを含む)コアネットワークデバイスによって実行されるアクションを実行する可能性がある。第1のデバイスが第1のワイヤレス通信システムのワイヤレスアクセスデバイスであるとき、第1のデバイスは、上述の方法の実施形態の第1のワイヤレス通信システムのワイヤレスアクセスデバイスのアクションを実行する可能性がある。本発明のこの実施形態を実装するために、第1のワイヤレス通信システムのワイヤレスアクセスデバイス1300が、トランシーバ1302およびプロセッサ1301を含む可能性がある。トランシーバ1302は、上述の方法の実施形態の第1のワイヤレス通信システムのワイヤレスアクセスデバイスのトランシーバのアクションを実行するように構成され、プロセッサ1301は、上述の方法の実施形態の第1のワイヤレス通信システムのワイヤレスアクセスデバイスの取得アクション、決定アクションなどの処理アクションを実行するように構成される。同様に、第1のワイヤレス通信システムのコアネットワークデバイス1400は、トランシーバ1402およびプロセッサ1401を含む可能性がある。トランシーバ1402は、上述の方法の実施形態の第1のワイヤレス通信システムのコアネットワークデバイスのトランシーバのアクションを実行するように構成され、プロセッサ1401は、上述の方法の実施形態の第1のワイヤレス通信システムのコアネットワークデバイスの取得アクション、決定アクションなどの処理アクションを実行するように構成される。
【０２７３】
本発明の実施形態の別の態様は、第1のワイヤレス通信システムと情報を交換するための第2のワイヤレス通信システムとして使用されるワイヤレス通信システムを提供する。第1のワイヤレス通信システムおよび第2のワイヤレス通信システムは、異なる通信テクノロジーを使用する。第2のワイヤレス通信システム1200は、第1のデバイス1201および第2のデバイス1202を含む。
【０２７４】
第1のデバイス1201は、ユーザ機器のサービスデータフローが第1のワイヤレス通信システムから第2のワイヤレス通信システムに転送されるべきであると判定するように構成される。
【０２７５】
第2のデバイス1202は、第2のワイヤレス通信システムの非アクセス層上にあり、第1のワイヤレス通信システムの非アクセス層上のサービスデータフローの1つのサービスベアラグループに対応する1つのサービスベアラを決定するように構成され、サービスベアラグループは、第1のワイヤレス通信システムの非アクセス層上の少なくとも2つのサービスベアラを含む。
【０２７６】
第2のデバイス1202は、サービスベアラを第1のワイヤレス通信システムに通知するようにさらに構成される。
【０２７７】
任意で、第2のデバイス1202は、第1のワイヤレス通信システムから第3の情報を受信するようにさらに構成される。第3の情報は、第1のワイヤレス通信システムの非アクセス層上のサービスデータフローの少なくとも1つのサービスベアラグループと、トラフィックフローテンプレートおよびトラフィックフローテンプレートの優先度のうちの少なくとも一方とを示す。少なくとも1つのサービスベアラグループの各々は、第1のワイヤレス通信システムのアクセス層上の1つのサービスベアラに対応し、少なくとも1つのサービスベアラグループは、1つのサービスベアラグループを含む。第2のデバイスは、第3の情報に従って、第2のワイヤレス通信システムの非アクセス層上にあり、第1のワイヤレス通信システムの非アクセス層上のサービスデータフローのサービスベアラグループに対応するサービスベアラを決定するようにさらに構成される。
【０２７８】
本発明のこの実施形態において、第2のデバイス1202は、上述の方法の実施形態の第2のワイヤレス通信システムの(制御プレーンコアネットワークデバイスまたはユーザプレーンコアネットワークデバイスを含む)コアネットワークデバイスによって実行されるアクションを実行する可能性がある。第1のデバイスが第2のワイヤレス通信システムのワイヤレスアクセスデバイスであるとき、第1のデバイスは、上述の方法の実施形態の第2のワイヤレス通信システムのワイヤレスアクセスデバイスのアクションを実行する可能性がある。本発明のこの実施形態を実装するために、第2のワイヤレス通信システムのワイヤレスアクセスデバイス1300が、トランシーバ1302およびプロセッサ1301を含む可能性がある。トランシーバ1302は、上述の方法の実施形態の第2のワイヤレス通信システムのワイヤレスアクセスデバイスのトランシーバのアクションを実行するように構成され、プロセッサ1301は、上述の方法の実施形態の第2のワイヤレス通信システムのワイヤレスアクセスデバイスの取得アクション、決定アクションなどの処理アクションを実行するように構成される。
【０２７９】
本発明の実施形態の別の態様は、ワイヤレス通信システムを提供する。ワイヤレス通信システムは、第2のワイヤレス通信システムと情報を交換するための第1のワイヤレス通信システムとして使用される。第1のワイヤレス通信システムおよび第2のワイヤレス通信システムは、異なる通信テクノロジーを使用する。第1のワイヤレス通信システム1100は、第1のデバイス1101および第2のデバイス1102を含む。
【０２８０】
第1のデバイス1101は、ユーザ機器のサービスデータフローが第2のワイヤレス通信システムから第1のワイヤレス通信システムに転送されるべきであると判定するように構成される。第1のワイヤレス通信システムおよび第2のワイヤレス通信システムは、異なる通信テクノロジーを使用する。第2のデバイス1102は、第2のワイヤレス通信システムから第4の情報を受信するように構成される。第4の情報は、第2のワイヤレス通信システムの非アクセス層上のサービスデータフローのサービスベアラを示す。第2のデバイスは、第4の情報に従って、第1のワイヤレス通信システムの非アクセス層上にあり、サービスベアラに対応する1つのサービスベアラグループを決定するように構成される。サービスベアラグループは、第1のワイヤレス通信システムの非アクセス層上の少なくとも2つのサービスベアラを含む。
【０２８１】
任意で、第1のデバイス1101は、第4の情報、トラフィックフローテンプレート、およびトラフィックフローテンプレートの優先度に従って第1のワイヤレス通信システムのコアネットワークデバイスによって、第1のワイヤレス通信システムの非アクセス層上にあり、サービスベアラに対応するサービスベアラグループを決定するためにサービスベアラを分割するように特に構成される。
【０２８２】
本発明のこの実施形態において、第2のデバイス1102は、上述の方法の実施形態の第1のワイヤレス通信システムの(制御プレーンコアネットワークデバイスまたはユーザプレーンコアネットワークデバイスを含む)コアネットワークデバイスによって実行されるアクションを実行する可能性がある。第1のデバイスが第1のワイヤレス通信システムのワイヤレスアクセスデバイスであるとき、第1のデバイスは、上述の方法の実施形態の第1のワイヤレス通信システムのワイヤレスアクセスデバイスのアクションを実行する可能性がある。本発明のこの実施形態を実装するために、第1のワイヤレス通信システムのワイヤレスアクセスデバイスが、トランシーバおよびプロセッサを含む可能性がある。トランシーバは、上述の方法の実施形態の第1のワイヤレス通信システムのワイヤレスアクセスデバイスのトランシーバのアクションを実行するように構成され、プロセッサは、上述の方法の実施形態の第1のワイヤレス通信システムのワイヤレスアクセスデバイスの取得アクション、決定アクションなどの処理アクションを実行するように構成される。
【０２８３】
上述の方法の実施形態の技術的なソリューションを実装するために、各ワイヤレス通信システムのワイヤレスアクセスデバイス1300に含まれるトランシーバ1302およびプロセッサ1301は、物理的なバスを使用することによって接続される可能性があることに留意されたい。同様に、上述の方法の実施形態の技術的なソリューションを実装するために、各ワイヤレス通信システムのコアネットワークデバイス1400に含まれるトランシーバ1402およびプロセッサ1401は、物理的なバスを使用することによって接続される可能性がある。
【０２８４】
本発明の実施形態の一態様は、ユーザ機器のサービスデータフローが第1のワイヤレス通信システムから第2のワイヤレス通信システムに転送されるシナリオに適用されるユーザ機器1500を提供する。ユーザ機器は、受信ユニット1502および処理ユニット1501を含む。
【０２８５】
受信ユニット1502は、第1のワイヤレス通信システムによって送信された第1の通知を受信するように構成され、第1の通知は、第2のワイヤレス通信システムの非アクセス層上にあり、第1のワイヤレス通信システムの非アクセス層上のユーザ機器のサービスデータフローの1つのサービスベアラグループに対応する1つのサービスベアラを示すために使用され、サービスベアラグループは、第1のワイヤレス通信システムの非アクセス層上の少なくとも2つのサービスベアラを含む。
【０２８６】
処理ユニット1501は、第1の通知に従って、サービスデータフローを、第1のワイヤレス通信システムの非アクセス層上のサービスベアラグループから第2のワイヤレス通信システムの非アクセス層上のサービスベアラに転送するように構成される。
【０２８７】
本発明の実施形態の別の態様は、ユーザ機器のサービスデータフローが第1のワイヤレス通信システムから第2のワイヤレス通信システムに転送されるシナリオに適用されるユーザ機器1500を提供する。ユーザ機器は、受信ユニット1502および処理ユニット1501を含む。
【０２８８】
受信ユニット1502は、第2のワイヤレス通信システムによって送信された第3の通知を受信するように構成され、第3の通知は、第2のワイヤレス通信システムの非アクセス層上にあり、第1のワイヤレス通信システムの非アクセス層上のユーザ機器のサービスデータフローの1つのサービスベアラグループに対応する1つのサービスベアラを示すために使用され、サービスベアラグループは、第1のワイヤレス通信システムの非アクセス層上の少なくとも2つのサービスベアラを含む。
【０２８９】
処理ユニット1501は、第3の通知に従って、サービスデータフローを、第1のワイヤレス通信システムの非アクセス層上のサービスベアラグループから第2のワイヤレス通信システムの非アクセス層上のサービスベアラに転送するように構成される。
【０２９０】
本発明の実施形態の様々な態様において提供されるユーザ機器1500の受信ユニット1502は、受信機として物理的に実装される可能性があり、処理ユニット1501は、プロセッサとして物理的に実装される可能性があり、受信機およびプロセッサは、物理的なバスを使用することによって接続される可能性があることに留意されたい。方法の実施形態の技術的なソリューションを実装するために、ユーザ機器は、送信機および別の電子回路をさらに含む可能性がある。
【０２９１】
本発明の実施形態において提供されるワイヤレス通信システムおよびユーザ機器を使用することは、第2のワイヤレス通信システムがサービスベアラをランダムに割り当てることが原因でサービスデータフローが連続的でないという問題を防止する可能性があり、それによって、ユーザ機器の体験を向上させる。
【０２９２】
本発明の実施形態の別の態様は、以下の内容を含む、リフレクティブ(reflective)サービス品質(Reflective QoS)のための無線リソース制御(RRC)構成更新方法を提供する。
【０２９３】
Reflective QoSは、サービスがアップリンクおよびダウンリンクの対称性の特徴を有する、つまり、アップリンクのQoSおよびダウンリンクのQoSが同じであることを意味し、アップリンクおよびダウンリンクのTFTフィルタテンプレートも、対称的である。たとえば、アップリンクの送信元アドレスおよび送信元ポート番号は、ダウンリンクの送信先アドレスおよび送信先ポート番号である。アップリンクの送信先アドレスおよび送信先ポート番号は、ダウンリンクの送信元アドレスおよび送信元ポート番号である。エアインターフェース側のDRB(data radio bearer、データ無線ベアラ)は、アップリンクとダウンリンクとで対称的であり、つまり、アップリンクおよびダウンリンクが、同じQoSのサービスを提供する。したがって、リフレクティブQoSの特徴を有するダウンリンクサービスフローのQoS flowおよび対応するアップリンクサービスフローのQoS flowは、同じDRBにマッピングされる。
【０２９４】
制御シグナリングを削減する方法で、ネットワーク側は、シグナリングによってアップリンクのQoS規則を端末に通知せず、ダウンリンクデータパケットを使用することによって規則を端末に暗黙的に通知する。つまり、端末は、DRB1からflow1のダウンリンクデータパケットを受信し、アップリンクTFTを得るためにダウンリンクデータパケットのヘッダの5タプルを転送し、アップリンクのflow1のデータパケットをDRB1にマッピングし、TFTに対応するQoSパラメータのインデックス値は、flow1である。したがって、このようにして、QoS規則を端末に通知するためにコアネットワークによって使用されるシグナリングが削減され、flowからDRBへのマッピング関係を端末に通知するためにワイヤレスアクセスデバイスによって使用されるエアインターフェースシグナリングが削減される。
【０２９５】
flowからDRBへのマッピング関係を更新するための別の技術的なソリューションは、以下の通りである。
【０２９６】
シナリオ1:
【０２９７】
ワイヤレスアクセスデバイスが、DRB1を介してflow1のダウンリンクデータパケットを送信し、flow1がリフレクティブQoSの特徴を有することをUEに通知するか、またはflow1のデータパケットがリフレクティブQoSの特徴を有することをUEに通知し、たとえば、指示情報が、データパケットのパケットヘッダ内で運ばれる。
【０２９８】
2.  ユーザ機器が、DRB1内のflow1のデータパケットを受信し、アップリンクTFTを得るためにダウンリンクデータパケットのヘッダの5タプルを転送し、アップリンクのflow1のデータパケットをDRB1にマッピングし、TFTに対応するQoSのインデックス値は、flow1である。このようにして、ユーザ機器は、アップリンクのQoS flowからDRBへの、つまり、flow1からDRB1へのマッピング関係を取得する可能性があり、マッピング関係を記憶する。
【０２９９】
3.  ワイヤレスアクセスデバイスが、QoS flowからDRBへのマッピング関係を修正し、たとえば、flow1は、無線リソース管理(radio resource management、RRM)アルゴリズムに従ってDRB2にマッピングされる必要がある。したがって、ワイヤレスアクセスデバイスは、RRCシグナリングを使用することによってQoS flow1からDRB2へのマッピング関係を端末に通知する。
【０３００】
4.  ワイヤレスアクセスデバイスによって送信されるQoS flow1からDRB2へのマッピング関係を受信するとき、端末が、QoS flow1からDRBへのローカルに記憶されたマッピングを変更し、マッピングをQoS flow1からDRB2へのマッピングに更新する。端末は、DRB2を介してQoS flow1のデータパケットを送信する。
【０３０１】
シナリオ2:
【０３０２】
ワイヤレスアクセスデバイスが、QoS flowからDRBへのマッピング関係を構成し、たとえば、RRMアルゴリズムに従ってQoS flow1をDRB2にマッピングする。したがって、ワイヤレスアクセスデバイスは、RRCシグナリングを使用することによってQoS flow1からDRB2へのマッピング関係を端末に通知する。端末は、QoS flow1からDRB2への、つまり、アップリンクのflowからDRBへのマッピング関係を取得するためにRRCシグナリングを受信し、マッピング関係を記憶する。端末は、DRB2を介してQoS flow1のデータを送信する。
【０３０３】
ワイヤレスアクセスデバイスは、QoS flowからDRBへのマッピング関係を修正し、たとえば、RRMアルゴリズムに従ってQoS flow1をDRB3にマッピングすると決定する。
【０３０４】
ワイヤレスアクセスデバイスは、DRB3を介してQoS flow1のダウンリンクデータパケットを送信し、QoS flow1がリフレクティブQoSの特徴を有することをUEに通知するか、またはflow1のデータパケットがリフレクティブQoSの特徴を有することをUEに通知し、たとえば、指示情報が、データパケットのパケットヘッダ内で運ばれる。
【０３０５】
4.  ユーザ機器が、DRB3内のQoS flow1のデータパケットを受信し、データパケットがリフレクティブな特徴を有することを知り、アップリンクTFTを得るためにダウンリンクデータパケットのヘッダの5タプルを転送し、QoS flow1のアップリンクデータパケットをDRB3にマッピングし、TFTに対応するQoSのインデックス値は、flow1である。このようにして、ユーザ機器は、アップリンクのQoS flowからDRBへの、つまり、QoS flow1からDRB3へのマッピング関係を取得し、QoS flow1からDRB2へのローカルに記憶されたマッピングを変更し、マッピングをQoS flow1からDRB3へのマッピングに更新することができる。ユーザ機器は、DRB3を介してQoS flow1のデータパケットを送信する。
【０３０６】
当業者は、本出願の実施形態が方法、システム、またはコンピュータプログラム製品として提供される可能性があることを理解するはずである。したがって、本出願は、ハードウェアのみの実施形態、ソフトウェアのみの実施形態、またはソフトウェアとハードウェアとの組合せによる実施形態の形態を用いる可能性がある。さらに、本出願は、コンピュータが使用可能なプログラムコードを含む(ディスクメモリ、CD-ROM、または光学式メモリを含むがこれらに限定されない)1つまたは複数のコンピュータが使用可能なストレージ媒体上に実装されるコンピュータプログラム製品の形態を用いる可能性がある。
【０３０７】
本出願は、本出願の実施形態による方法、装置(システム)、およびコンピュータプログラム製品の流れ図および/またはブロック図を参照して説明されている。流れ図および/またはブロック図の各プロセスおよび/または各ブロックと、流れ図および/またはブロック図のプロセスおよび/またはブロックの組合せとを実装するためにコンピュータプログラム命令が使用される可能性があることを理解されたい。これらのコンピュータプログラム命令は、コンピュータまたは任意のその他のプログラミング可能なデータ処理デバイスのプロセッサによって実行される命令が流れ図の1つもしくは複数のプロセスおよび/またはブロック図の1つもしくは複数のブロックの特定の機能を実装するための装置を生成するようにマシンを生成するために多目的コンピュータ、専用コンピュータ、組み込みプロセッサ、または任意のその他のプログラミング可能なデータ処理デバイスのプロセッサのために提供される可能性がある。
【０３０８】
これらのコンピュータプログラム命令は、コンピュータ読み取り可能なメモリに記憶された命令が指示装置を含む製品を生成するように、特定の方法で働くようにコンピュータまたは任意のその他のプログラミング可能なデータ処理デバイスに命令することができるコンピュータ読み取り可能なメモリに記憶される可能性がある。指示装置は、流れ図の1つもしくは複数のプロセスおよび/またはブロック図の1つもしくは複数のブロックの特定の機能を実装する。
【０３０９】
これらのコンピュータプログラム命令は、一連の動作およびステップがコンピュータまたは別のプログラミング可能なデバイス上で実行され、それによって、コンピュータによって実施される処理を生成するようにコンピュータまたは別のプログラミング可能なデータ処理デバイスにロードされる可能性がある。したがって、コンピュータまたは別のプログラミング可能なデバイス上で実行される命令が、流れ図の1つもしくは複数のプロセスおよび/またはブロック図の1つもしくは複数のブロックの特定の機能を実施するためのステップを提供する。
【符号の説明】
【０３１０】
1100  第1のワイヤレス通信システム
1101  第1のデバイス
1102  第2のデバイス
1200  第2のワイヤレス通信システム
1201  第1のデバイス
1202  第2のデバイス
1300  ワイヤレスアクセスデバイス
1301  プロセッサ
1302  トランシーバ
1400  コアネットワークデバイス
1401  プロセッサ
1402  トランシーバ
1500  ユーザ機器
1501  処理ユニット
1502  受信ユニット
【図１−Ａ】
0006974476.tif 000002
【図１−Ｂ】
0006974476.tif 000003
【図２−Ａ】
0006974476.tif 000004
【図２−Ｂ】
0006974476.tif 000005
【図２−Ｃ】
0006974476.tif 000006
【図３】
0006974476.tif 000007
【図４】
0006974476.tif 000008
【図５】
0006974476.tif 000009
【図６】
0006974476.tif 000010
【図７】
0006974476.tif 000011
【図８】
0006974476.tif 000012
【図９】
0006974476.tif 000013
【図１０】
0006974476.tif 000014
【図１１】
0006974476.tif 000015
【図１２】
0006974476.tif 000016
【図１３】
0006974476.tif 000017
【図１４】
0006974476.tif 000018
【図１５】
0006974476.tif 000019